(57)【要約】  履物が、着用と脱着を比較的容易にし、調節を確実にする。履物は、ソール構造体と、該ソール構造体に固定されたアッパーと、アッパー及びソール構造体の少なくとも一方に固定された近位端部を有しアッパーから外方へ延びている複数の引張りケーブルと、を備える。ストラップが、複数の引張りケーブルの遠位端部に接続された近位端部を有するとともに、アッパーに取外し可能に固定され得る遠位端部を有し、引張りケーブルを引き締めるように構成されている。ウェブ状スペーサは、複数の引張りケーブルに固定されている。ウェブ状スペーサは、該ウェブ状スペーサによって複数の引張りケーブルの隣り合うものが離間されるように、複数の引張りケーブルの隣り合うものの間に延びている。
2021520918.tif 000002
【特許請求の範囲】
【請求項１】
ソール構造体と、
上記ソール構造体に固定されたアッパーと、
上記アッパー及び上記ソール構造体のうちの少なくとも一方に固定された近位端部を有する複数の引張りケーブルであって、上記アッパーから外方へ延びている複数の引張りケーブルと、
上記複数の引張りケーブルにおける引張りケーブルの遠位端部に接続された近位端部、及び上記引張りケーブルを引き締めるように上記アッパーに取外し可能に固定され得る遠位端部を有するストラップと、
上記複数の引張りケーブルに固定されたウェブ状スペーサであって、該ウェブ状スペーサによって上記複数の引張りケーブルのうちの隣り合うものが互いに離間して配置されるように、上記複数の引張りケーブルのうちの隣り合うものの間に延びているウェブ状スペーサと、
を備える、履物。
【請求項２】
上記ウェブ状スペーサは柔軟なポリマ材料からなることを特徴とする、請求項１に記載の履物。
【請求項３】
上記複数の引張りケーブルのうちの隣り合うものの間の隙間が、上記ウェブ状スペーサに沿って上記ストラップに近いところほど狭くなっていることを特徴とする、請求項１又は請求項２に記載の履物。
【請求項４】
上記ストラップの遠位端部が上記アッパーに固定されているときに、上記ウェブ状スペーサは、上記アッパーの第１の側方で上記アッパーの外面に押し付けられるように配置されていることを特徴とする、請求項１〜３のいずれかに記載の履物。
【請求項５】
上記アッパー及び上記ソール構造体のうちの少なくとも一方に固定され、上記アッパーから外方へ延びている複数のループ状ケーブルをさらに備え、
上記複数の引張りケーブルは、該引張りケーブルの近位端部と上記ウェブ状スペーサとの間において上記複数のループ状ケーブルを貫通していることを特徴とする、請求項１〜４のいずれかに記載の履物。
【請求項６】
上記複数の引張りケーブルが該複数の引張りケーブルの近位端部から上記アッパーの第１の側方に沿って上方へ延在する一方で、上記複数のループ状ケーブルは上記アッパーの第２の側方で上方へ延在し、
上記ウェブ状スペーサは、上記ストラップの遠位端部が上記アッパーに固定されているときに上記アッパーの第１の側方に押し付けられるように着座しており、上記複数の引張りケーブルは、上記複数のループ状ケーブルの位置で向きを変えていることを特徴とする、請求項５に記載の履物。
【請求項７】
上記アッパーは、足受けキャビティを画定している前方セクション及び後方セクションを含み、
上記前方セクションは、上記ソール構造体の前足領域に固定されており、
上記後方セクションは、該後方セクションの少なくとも一部が上記前方セクションよりも後方となる位置に、作動可能となるように上記ソール構造体に固定されているとともに、アクセス位置と使用位置との間で変化するように関節運動し、上記後方セクションが上記アクセス位置にあるときに上記足受けキャビティは該履物の踵領域で露出している一方で、上記後方セクションが上記使用位置にあるときに上記後方セクションの一部が上記踵領域を取り囲んでおり、
上記後方セクションが上記使用位置にあるときに、上記ストラップは、上記前方セクションの第１の側方から上記前方セクションの第２の側方にかけて上記後方セクションの背面を覆い、上記前方セクションの第２の側方に固定できるように構成されていることを特徴とする、請求項１〜６のいずれかに記載の履物。
【請求項８】
上記ストラップの遠位端部の位置で上記ストラップに固定された第１の固定具部と、
上記アッパーの前方セクションの第２の側方に固定された第２の固定具部と、
をさらに備え、
第１の固定具部は、第２の固定具部に固定できるように構成されていることを特徴とする、請求項７に記載の履物。
【請求項９】
上記ストラップは、上記ストラップの内側に沿って互いに離間して配置された複数の固定具部を有し、
上記アッパーは、後方セクション、上記前方セクションの第１の側方及び第２の側方に固定された複数の固定具部を有し、
上記ストラップの固定具部は、上記アッパーの固定具部に固定できるように構成されていることを特徴とする、請求項７に記載の履物。
【請求項１０】
上記前方セクションの第１の側方が上記前方セクションの外側方である一方で、上記前方セクションの第２の側方が上記前方セクションの内側方であり、
上記前方セクションの後方内側方端縁が内側方インターフェイスの位置で上記後方セクションと接続する一方で、上記前方セクションの後方外側方端縁が外側方インターフェイスの位置で上記後方セクションと接続し、
上記アッパーの複数の固定具部は、前方セクションの内側方固定具部と後方セクションの内側方固定具部を含み、この両者は上記内側方インターフェイスの境界を画定しており、上記アッパーの複数の固定具部は、前方セクションの外側方固定具部と後方セクションの外側方固定具部をさらに含み、この両者は上記外側方インターフェイスの境界を画定しており、
上記後方セクションが上記使用位置にあるときに、上記ストラップは、上記内側方インターフェイスと上記外側方インターフェイスを越えることができ、上記ストラップの上記複数の固定具部は、前方セクションの内側方固定具部、後方セクションの内側方固定具部、前方セクションの外側方固定具部、及び後方セクションの外側方固定具部に固定されていることを特徴とする、請求項９に記載の履物。
【請求項１１】
上記前方セクションの内側方に固定された少なくとも１つの前方内側方磁気エレメント、及び上記後方セクションの内側方に固定された少なくとも１つの後方内側方磁気エレメントを含む内側方の一式の磁気エレメントと、
上記前方セクションの外側方に固定された少なくとも１つの前方外側方磁気エレメント、及び上記後方セクションの外側方に固定された少なくとも１つの後方外側方磁気エレメントを含む外側方の一式の磁気エレメントと、
をさらに備え、
上記内側方インターフェイスを越えて上記少なくとも１つの後方内側方磁気エレメントに上記少なくとも１つの前方内側方磁気エレメントが磁気カップリングすることにより、さらには、上記外側方インターフェイスを越えて上記少なくとも１つの後方外側方磁気エレメントに上記少なくとも１つの前方外側方磁気エレメントがカップリングすることにより、上記使用位置において、上記後方セクションの少なくとも一部が上記前方セクションに固定されることを特徴とする、請求項１０に記載の履物。
【請求項１２】
上記後方セクションは、後方へ折れ曲がることにより上記使用位置から上記アクセス位置まで関節運動し、
上記後方セクションの前方内側方端縁は、該後方セクションがアクセス位置にあるときよりも使用位置にあるときにおいて上記前方セクションの後方内側方端縁に近くなり、
上記後方セクションの前方外側方端縁は、該後方セクションがアクセス位置にあるときよりも使用位置にあるときにおいて上記前方セクションの後方外側方端縁に近くなることを特徴とする、請求項７に記載の履物。
【請求項１３】
上記前方セクションの後方内側方端縁及び後方外側方端縁の全体が、該履物の踵部分においてほぼ垂直に延在することを特徴とする、請求項７に記載の履物。
【請求項１４】
ソール構造体と、
前方セクション及び後方セクションを含むアッパーであって、
上記前方セクションは、上記ソール構造体の前足領域に固定され、上記ソール構造体の上方に足受けキャビティを画定し、上記後方セクションは、該後方セクションの少なくとも一部が上記前方セクションよりも後方となる位置に、作動可能となるように上記ソール構造体に固定されているとともに、アクセス位置と使用位置との間で変化するように関節運動し、上記後方セクションが上記アクセス位置にあるときに、上記足受けキャビティは該履物の踵領域で露出している一方で、上記後方セクションが上記使用位置にあるときに、上記後方セクションは上記踵領域の一部を取り囲んでいる、アッパーと、
複数の引張りケーブルであって、上記アッパーの前方セクション及び上記ソール構造体のうちの少なくとも一方に固定された近位端部から上記前方セクションに沿って上方へ延びている、複数の引張りケーブルと、
上記複数の引張りケーブルにおける引張りケーブルの遠位端部に接続された近位端部を有するストラップであって、該ストラップは、上記アッパーの第１の側方から第２の側方にかけて上記後方セクションの周りを覆うように構成されている、ストラップと、
上記アッパーの第２の側方に上記ストラップの遠位端部を固定するように構成された固定具と、
上記ストラップの近位端部に隣接し、上記複数の引張りケーブルに固定されたウェブ状スペーサであって、該ウェブ状スペーサによって上記複数の引張りケーブルのうちの隣り合うものが互いに離間されるように、上記複数の引張りケーブルのうちの隣り合うものの間に延びているウェブ状スペーサと、
を備える、履物。
【請求項１５】
上記アッパー及び上記ソール構造体のうちの少なくとも一方に固定され、上記アッパーの前方セクションから外方へ延びているループ状ケーブルをさらに備え、
上記複数の引張りケーブルは、上記複数の引張りケーブルの近位端部と上記ウェブ状スペーサとの間において上記複数のループ状ケーブルを貫通しており、
上記複数の引張りケーブルは、該複数の引張りケーブルの近位端部から上記アッパーの第１の側方に沿って上方へ延在する一方で、上記複数のループ状ケーブルは、上記アッパーの際２の側から外方へ延在し、
上記ストラップが上記アッパーに固定されているときに、上記ウェブ状スペーサは上記アッパーの第１の側方に押し付けられるように着座し、上記複数の引張りケーブルは、上記複数のループ状ケーブルの位置で向きを変えていることを特徴とする、請求項１４に記載の履物。
【請求項１６】
上記ストラップは、上記ストラップの内側に沿って離間して配置された複数の固定具部を有し、
上記アッパーは、上記前方セクションの第１の側方と第２の側方に固定された複数の固定具部を有し、
上記ストラップの固定具部は、上記アッパーの固定具部に固定できるように構成されていることを特徴とする、請求項１４又は請求項１５に記載の履物。
【請求項１７】
上記前方セクションの第１の側方が上記前方セクションの外側方である一方で、上記前方セクションの第２の側方が上記前方セクションの内側方であり、
上記前方セクションの後方内側方端縁が内側方インターフェイスの位置で上記後方セクションと接続する一方で、上記前方セクションの後方外側方端縁が外側方インターフェイスの位置で上記後方セクションと接続し、
上記アッパーの複数の固定具部は、前方セクションの内側方固定具部及び後方セクションの内側方固定具部を含み、この両者が上記内側方インターフェイスの境界を画定しており、上記アッパーの複数の固定具部は、前方セクションの外側方固定具部及び後方セクションの外側方固定具部をさらに含み、この両者が上記外側方インターフェイスの境界を画定しており、
上記後方セクションが上記使用位置にあるときに上記ストラップは、上記内側方インターフェイスと上記外側方インターフェイスとを越えることができ、上記ストラップの複数の固定具部は、上記前方セクションの内側方固定具部、上記後方セクションの内側方固定具、上記前方セクションの外側方固定具部、及び上記後方セクションの外側方固定具部に固定されることを特徴とする請求項１６に記載の履物。
【請求項１８】
上記前方セクションの内側方に固定された少なくとも１つの前方内側方磁気エレメント、及び上記後方セクションの内側方に固定された少なくとも１つの後方内側方磁気エレメントからなる内側方の一式の磁気エレメントと、
上記前方セクションの外側方に固定された少なくとも１つの前方外側方磁気エレメント、及び上記後方セクションの外側方に固定された少なくとも１つの後方外側方磁気エレメントからなる外側方の一式の磁気エレメントと、
をさらに備え、
上記内側方インターフェイスを越えて上記少なくとも１つの後方内側方磁気エレメントに上記少なくとも１つの前方内側方磁気エレメントを磁気カップリングさせることにより、さらには、上記外側方インターフェイスを越えて上記少なくとも１つの後方外側方磁気エレメントに上記少なくとも１つの前方外側方磁気エレメントをカップリングさせることにより、上記使用位置において、上記後方セクションの少なくとも一部が上記前方セクションに固定されることを特徴とする、請求項１７に記載の履物。
【請求項１９】
上記後方セクションは、後方へ折れ曲がることにより上記使用位置から上記アクセス位置まで関節運動し、
上記後方セクションの前方内側方端縁は、該後方セクションがアクセス位置にあるときよりも使用位置にあるときにおいて上記前方セクションの後方内側方端縁に近くなり、
上記後方セクションの前側外側方端縁は、該後方セクションがアクセス位置にあるときよりも使用位置にあるときにおいて上記前方セクションの後方外側方端縁に近くなることを特徴とする、請求項１４又は請求項１５に記載の履物。
【請求項２０】
上記前方セクションの後方内側方端縁及び後方外側方端縁の全体が、該履物の踵部分に延在することを特徴とする、請求項１４〜１９のいずれかに記載の履物。
【請求項２１】
ソール構造体と、
上記ソール構造体に固定されたアッパーと、
上記ソール構造体の内側方の壁に固定され、該履物の中足領域内で上方へ延びている内側方フラップと、
上記アッパーの外側方に沿って上方へ延びている複数の引張りケーブルと、
上記アッパー及び上記内側方フラップのうちの少なくとも一方に固定された複数のループ状ケーブルと、
上記複数の引張りケーブルの遠位端部に接続された近位端部、及び上記引張りケーブルを締め付けるように上記アッパーに取外し可能に固定され得る遠位端部を有するストラップと、
を備え、
上記複数の引張りケーブルは、上記複数の引張りケーブルの近位端部と上記ストラップとの間において上記複数のループ状ケーブルを貫通していることを特徴とする、履物。
【請求項２２】
上記複数の引張りケーブルに固定されたウェブ状スペーサであって、該ウェブ状スペーサによって上記複数の引張りケーブルのうちの隣り合うものが互いに離間されるように、上記複数の引張りケーブルのうちの隣り合うものの間に延びているウェブ状スペーサをさらに備え、
上記内側方フラップは、上記ウェブ状スペーサの近位端部に固定されていることを特徴とする、請求項２１に記載の履物。
【請求項２３】
上記内側方フラップは、上記アッパーの外面に押し付けられるように位置し、上記ストラップが上記アッパーに固定されているときに上記複数のループ状ケーブルのうちの少なくともいくつかを覆うことを特徴とする、請求項２１〜２２のいずれかに記載の履物。
【請求項２４】
上記複数の引張りケーブル及び上記複数のループ状ケーブルの両方が上記アッパーを貫通していることを特徴とする、請求項２１〜２３のいずれかに記載の履物。
【請求項２５】
上記内側方フラップは外方の内側方フラップであり、
該履物は、
上記アッパーの内側方に固定され、上記アッパーと上記外方の内側方フラップとの間に配置された内方の内側方フラップをさらに備え、
上記複数のループ状ケーブルは、上記内方の内側方フラップから上記外方の内側方フラップまで延在していることを特徴とする、請求項２１に記載の履物。
【請求項２６】
上記ソール構造体の外側方に固定され、該履物の中足領域内で上記アッパーの外側方に沿って上方へ延びている外側方フラップをさらに備え、
上記複数の引張りケーブルの各々が上記外側方フラップに固定され、上記外側方フラップの自由端縁から延在していることを特徴とする、請求項２１に記載の履物。
【請求項２７】
上記外側方フラップは、内層及び外層を有し、
上記外層は開口を有し、
上記複数の引張りケーブルのうちの少なくとも１つが上記開口を横切るように延在し、上記開口の位置で露出していることを特徴とする、請求項２６に記載の履物。
【請求項２８】
上記内側方フラップが外方の内側方フラップであり、
該履物は、
上記アッパーと上記外方の内側方フラップとの間に配置された内方の内側方フラップであって、足対向面の内側方周辺の内方において上記ソール構造体の足対向面に固定されている、内方の内側方フラップをさらに備え、
上記複数のループ状ケーブルは、上記内方の内側方フラップから上記外方の内側方フラップまで延在することを特徴とする、請求項２１に記載の履物。
【請求項２９】
上記内側方フラップは、上記ソール構造体から後方かつ上方へ延在する第１の部分、及び上記ソール構造体から前方かつ上方へ延在する第２の部分を有するように構成されており、
第２の部分の少なくとも一部が上記ソール構造体の位置で第１の部分よりも後方にあることを特徴とする、請求項２１に記載の履物。
【請求項３０】
上記ループ状ケーブルと上記ストラップとの間において上記複数の引張りケーブルに固定されたウェブ状スペーサであって、該ウェブ状スペーサによって上記複数の引張りケーブルのうちの隣り合うものが互いに離間されるように、上記複数の引張りケーブルのうちの隣り合うものの間に延びているウェブ状スペーサをさらに備える、請求項２１に記載の履物。
【請求項３１】
上記ウェブ状スペーサは、上記ストラップの遠位端部が上記アッパーに固定されると上記アッパーの外側方に押し付けられるように着座し、上記複数の引張りケーブルは、上記複数のループ状ケーブルの位置で向きを変えていることを特徴とする、請求項３０に記載の履物。
【請求項３２】
上記ストラップの遠位端部に固定された第１の固定具部と、
上記アッパーに固定された第２の固定具部と、
をさらに備え、
第１の固定具部は、第２の固定具部に固定できるように構成されていることを特徴とする、請求項２１〜３１のいずれかに記載の履物。
【請求項３３】
上記アッパーは、足受けキャビティを形成する前方セクション及び後方セクションを含み、
上記前方セクションは上記ソール構造体の前足領域に固定されており、
上記後方セクションは、該後方セクションの少なくとも一部が上記前方セクションよりも後方となる位置に、作動可能となるように上記ソール構造体に固定されているとともに、アクセス位置と使用位置との間で変化するように関節運動し、上記後方セクションが上記アクセス位置にあるときに上記足受けキャビティは該履物の踵領域で露出している一方で、上記後方セクションが上記使用位置にあるときに上記後方セクションの一部が上記踵領域の一部を取り囲んでおり、
上記後方セクションが上記使用位置にあるときに、上記ストラップは、上記前方セクションの外側方から上記前方セクションの内側方にかけて上記後方セクションの背面を覆い、上記アッパーの内側方に固定できるように構成されていることを特徴とする、請求項２１〜３２のいずれかに記載の履物。
【請求項３４】
上記ストラップは、上記ストラップの内側に沿って離間された複数の固定具部を有し、
上記アッパーは、後方セクション、上記前方セクションの外側方、及び上記前方セクションの内側方に固定された複数の固定具部を有し、
上記ストラップの上記固定具部は、上記アッパーの固定具部に固定できるように構成されていることを特徴とする、請求項３３に記載の履物。
【請求項３５】
上記アッパーの後方セクションは、該後方セクションの内側に固定具部を有し、
上記後方セクションが上記使用位置にあるときに、上記後方セクションの内側にある固定具部は、上記前方セクションの外面上にある上記固定具部に固定できることを特徴とする、請求項３４に記載の履物。
【発明の詳細な説明】
【技術分野】
【０００１】
本発明は、概して、足を差し入れ易くかつ締め付け易いように構成されたアッパーと締結システムを有する履物に関する。
【０００２】
なお、本願は２０１８年４月１３日に出願された米国特許仮出願第６２／６５７，２６７号明細書を優先権主張の基礎とするものであり、該仮出願の全体が本願の参照となる。
【背景技術】
【０００３】
履物は、着用者の足を地面から離すように足の下に位置するソール構造体を含み得る。ソール構造体に取り付けられた履物のアッパーが足を受ける。アッパーは足を受けることができるほど緩くてもソール構造体に足を固定するために足周りにしっかり締まるように、アッパーを足にフィットさせることが締結システムを使って調節され得る。例えば、靴紐システムなどの閉合システムが、アッパー内に足が差し入れられた後に結ばれる靴紐を含み得る。
【発明の概要】
【発明が解決しようとする課題】
【０００４】
一般に、履物を履くときには片手か両手を使って、アッパーの履き口を伸ばし、足を差し入れる間に後部を保持することが要求される。足が差し入れられた後には、靴紐を結ぶことなどによりアッパーがフィットするように調節される。
【課題を解決するための手段】
【０００５】
履物であって、比較的簡単に足を差し入れたり引き抜いたりすることと、確実な調節を容易にできる履物について開示する。本発明の履物は、ソール構造体と、該ソール構造体に固定されたアッパーと、アッパー及びソール構造体のうちの少なくとも一方に固定された近位端部を有する複数の引張り（テンション）ケーブルとを有する。複数の引張りケーブルは、アッパーから外方へ延在する。ストラップが引張りケーブルの遠位端部に接続された近位端部を有する。ストラップの遠位端部は、引張りケーブルを締めるためにアッパーに取外し可能に固定され得る。ウェブ状スペーサは、複数の引張りケーブルに固定される。該ウェブ状スペーサは、複数の引張りケーブルの隣り合うものの間に延在し、それによって複数の引張りケーブルの隣り合うものが互いに離間される。
【０００６】
１つ又は複数の実施例において、ウェブ状スペーサは柔軟なポリマ材料からなる。ストラップの遠位端部がアッパーに固定されているときに、ウェブ状スペーサは、アッパーの第１の側方においてアッパーの外面に対して配置され得る。ウェブ状スペーサは、アッパーの外面に対して配置されたときに外面の形状に整合するほどに比較的細くて平らであり得る。アッパーにストラップが固定されると、ウェブ状スペーサがアッパーの第１の側方に着座することにより、ウェブ状スペーサは、第１の側方に力を受けて引張りケーブルが摩耗することを防ぐ（特には、引張りケーブルが第１の側方に配置されていて、ウェブ状スペーサに接続されていない場合と比較して）ことに寄与し得る。
【０００７】
１つ又は複数の実施例において、ウェブ状スペーサは、近位端縁から遠位端縁まで先細に形成されており、複数の引張りケーブルの隣り合うものの間の隙間は、ウェブ状スペーサに沿ってストラップに近くなるほど狭くなっている。ストラップ自体の幅は、複数の引張りケーブルの最前列のものから最後列のものまでの近位端部における距離よりも狭くなり得る。複数の引張りケーブルの隣り合うものの間の隙間は、これらの近位端部から遠位端部に向かって次第に狭くなっている。
【０００８】
１つ又は複数の実施例において、複数のループ状ケーブルが、アッパー及びソール構造体のうちの少なくとも一方に固定されており、アッパーから外方へ延在する。複数の引張りケーブルは、これらの引張りケーブルの近位端部とウェブ状スペーサとの間において複数のループ状ケーブルを貫通する。例えば、複数の引張りケーブルがアッパーの第１の側方に沿って複数の引張りケーブルの近位端部から上方へ延在し得る一方で、複数のループ状ケーブルは、アッパーの第２の側方で上方へ延在し得る。ストラップの遠位端部がアッパーに固定されると、ウェブ状スペーサがアッパーの外側方に着座する一方で、複数の引張りケーブルは、複数のループ状ケーブルの位置で向きを変えている。
【０００９】
後方セクションの周りでストラップを一回引いて、該ストラップの遠位端部をアッパーの前方セクションに押し付けるだけで、該ストラップはアッパーに係止する。本発明の履物は、靴紐を締めたり結んだりすることを必要とせず、不器用な人でも素早く履くことができるという利点があり得る。さらに足を差し入れたり引き抜いたりし易くするために、ストラップ、複数の引張りケーブル、及びウェブ状スペーサを含む締結システムが、足を抜き差し易くするために関節運動するアッパーとともに使用され得る。例えば、１つ又は複数の実施例において、アッパーは、前方セクションと後方セクションを含む。前方セクションは、ソール構造体の前足領域に固定されている。後方セクションは、該後方セクションの少なくとも一部が前方セクションよりも後方となる位置に、作動可能となるようにソール構造体に固定されている。後方セクションは、アクセス位置と使用位置との間で変化するように関節運動する。後方セクションは、使用位置にあるときよりもアクセス位置にあるときに、足受けキャビティは履物の踵領域内で露出する（すなわち、より大きく開く）一方で、後方セクションが使用位置にあるときに、該後方セクションは、踵領域の一部を取り囲む。ストラップは、前方セクションの第１の側方から第２の側方にかけて後方セクションの背面を覆うように延在し、後方セクションが使用位置にあるときに前方セクションの第２の側方に固定できるように構成されている。
【００１０】
ストラップがアッパーに取外し可能に固定されている場合、後方セクションを使用位置に保持することを支援するために協働する固定具部を該ストラップとアッパーが有し得る。例えば、第１の固定具部がストラップの遠位端部に固定される一方で、第２の固定具部がアッパーの前方セクションの第２の側方に固定される。第１の固定具部は、第２の固定具部に固定できるように構成されている。
【００１１】
１つ又は複数の実施例において、ストラップは、該ストラップの内側に沿って互いに離間された複数の固定具部を有する一方で、アッパーは、前方セクションの第１の側方及び第２の側方に固定された固定具部であって、いくつかの実施例において後方セクションにも固定されている場合もある複数の固定具部を有する。ストラップの固定具部は、アッパーの固定具部に固定できるように構成されている。ストラップの材料が、固定具部と比較して弾力性を有する場合、該ストラップは、該ストラップに沿って複数の固定具部を互いに離間させることによって隣り合う固定具部の間において伸張することができ、ひいては、該ストラップをアッパー上に多様に位置決めして固定状態に保持させることが可能となる。
【００１２】
１つ又は複数の実施例において、前方セクションの後方内側方端縁が、内側方インターフェイスの位置で後方セクションと接続する一方で、前方セクションの後方外側方端縁が外側方インターフェイスの位置で後方セクションと接続しており、アッパーの複数の固定具部が、前方セクションの内側方固定具部と後方セクションの内側方固定具部を含み、この両者によって内側方インターフェイスの境界が画定されている。アッパーの固定具部は、前方セクションの外側方固定具部と後方セクションの外側方固定具部も含み、この両者によって外側方インターフェイスの境界が画定されている。後方セクションが使用位置にあるときに、ストラップは内側方インターフェイスと外側方インターフェイスを越えて、該ストラップの複数の固定具部が、前方セクションの内側方固定具部、後方セクションの内側方固定具部、前方セクションの外側方固定具部及び後方セクションの外側方固定具部に固定されている。他の実施例において、単一の固定具部は後方セクションの内側方から外側方まで延在している。
【００１３】
後方セクションの関節部分が使用位置まで関節運動し、及び／又は後方セクションを使用位置に維持することを支援するために追加的な特徴部が含まれる場合もある。１つ又は複数の実施例において、磁気カップリングが用いられる場合もある。詳しくは、履物が、内側方の一式の磁気エレメント（磁気素子）と外側方の一式の磁気エレメントをさらに含み得る。内側方の一式の磁気エレメントは、前方セクションの内側方に固定された少なくとも１つの前方内側方磁気エレメントと、後方セクションの内側方に固定された少なくとも１つの後方内側方磁気エレメントを含む。外側方の一式の磁気エレメントは、前方セクションの外側方に固定された少なくとも１つの前方外側方磁気エレメントと、後方セクションの外側方に固定された少なくとも１つの後方外側方磁気エレメントを含む。少なくとも１つの前方内側方磁気エレメントが内側方インターフェイスを越えて少なくとも１つの後方内側方磁気エレメントに磁気カップリングすることにより、及び少なくとも１つの前方外側方磁気エレメントが外側方インターフェイスを越えて少なくとも１つの後方外側方磁気エレメントに磁気カップリングすることにより、後方セクションの少なくとも一部が、使用位置において前方セクションに固定されている。
【００１４】
代替的に、１つ又は複数の実施例において、磁気エレメントの代わりに又は磁気エレメントに加えて、後方セクションは、後方へ折れ曲がることにより関節運動（使用位置からアクセス位置に変化するような関節運動など）し得る。このような実施例において、後方セクションがアクセス位置にあるときよりも使用位置にあるときにおいて、後方セクションの前方内側方端縁は、前方セクションの後方内側方端縁に近づく一方で、後方セクションがアクセス位置にあるときよりも使用位置にあるときにおいて、後方セクションの前方外側方端縁は、前方セクションの後方外側方端縁に近づく。後方セクションの使用位置は、足が足受けキャビティに挿入される際の足首の周囲の長さに応じて前方セクションに対しては少しだけ前方か後方にずれることがあるが、すべての場合において、アクセス位置よりも前方にある。例えば、足首周りが比較的小さい場合には、後方セクションが使用位置にあるときに該後方セクションの前方内側方端縁は前方セクションの後方内側方端縁の前方かつ内方にある一方で、後方セクションが使用位置にあるときに該後方セクションの前方外側方端縁は前方セクションの後方外側方端縁の前方かつ内方にある。換言すると、後方セクションは、アッパーの内側方と外側方に対する靴の舌革と同様に、前方セクションの少し内方の位置に折れ曲がる。足首周りが比較的大きい場合には、後方セクションが使用位置にあるときに該後方セクションの前方内側方端縁は前方セクションの後方内側方端縁の僅かに後方となるように隣接する一方で、後方セクションが使用位置にあるときに該後方セクションの前方外側方端縁は前方セクションの後方外側方端縁の僅かに後方となるように隣接する。
【００１５】
前方セクションは、足を差し入れるときに足の力を受けて足受けキャビティとの整列が少しずれたときにも、該前方セクションが崩れてしまうことを防ぐように支援するように構成されている。例えば、１つ又は複数の実施例において、前方セクションの後方内側方端縁と後方外側方端縁の全体が踵部分内でほぼ垂直に延びているので、内側方インターフェイスと外側方インターフェイスがほぼ垂直に延びている。この構成を有することで、足の差し入れ位置がずれたときにも（前方セクションの前方へ後方内側方端縁と後方外側方端縁が傾斜している場合と比較して）前方セクションがつぶれて崩壊しないように大きく抵抗することができる。加えて、インターフェイスに隣接する外側方及び内側方の一式の磁気エレメントを有する実施例において、これらの磁気エレメント、及びこれらの磁気エレメント用の種々のハウジングは、後方セクションが使用位置にあるとき特には内側方インターフェイスと外側方インターフェイスの全体が踵部分内においてほぼ垂直に延びているときに、足の外側方をいっそう支持することを支援することができるものである。
【００１６】
１つ又は複数の実施例において、履物は、ソール構造体と、前方セクション及び後方セクションを含むアッパーと、を備える。前方セクションは、ソール構造体の前足領域に固定されており、その一部がソール構造体の上方に足受けキャビティを画定している。後方セクションは、該後方セクションの少なくとも一部が前方セクションよりも後方となる位置に、作動可能となるようにソール構造体に固定されているとともに、アクセス位置と使用位置との間で変化するように関節運動する。後方セクションがアクセス位置にあるときに、足受けキャビティは履物の踵領域において露出する一方で、後方セクションが使用位置にあるときに後方セクションの少なくとも一部が踵領域を取り囲む。複数の引張りケーブルは、アッパーの前方セクションとソール構造体のうちの少なくとも一方に固定された近位端部から前方セクションに沿って上方へ延在する。ストラップの近位端部は、引張りケーブルの遠位端部に接続されている。ストラップは、アッパーの第１の側方からアッパーの第２の側方にかけて後方セクションの周りを覆うように構成されている。固定具が、アッパーの第２の側方にストラップの遠位端部を固定するように構成されている。ウェブ状スペーサが、ストラップの近位端部に隣接しかつ複数の引張りケーブルに固定されている。ウェブ状スペーサは、該ウェブ状スペーサによって複数の引張りケーブルのうちの隣り合うものが互いに離間されるように、複数の引張りケーブルの隣り合うものの間に延在する。
【００１７】
１つ又は複数の実施例において、履物は、ソール構造体と、該ソール構造体に固定されたアッパーと、該ソール構造体の内側方の壁に固定され履物の中足領域内で上方へ延びている内側方フラップと、を備える。履物は、複数の引張りケーブルと、複数のループ状のケーブルと、ストラップと、を含む。引張りケーブルは、アッパーの外側方に沿って上方へ延在する。ループ状のケーブルは、アッパー及び内側方フラップのうちの少なくとも一方に固定されている。ストラップの近位端部は、引張りケーブルの遠位端部に接続されている。ストラップの遠位端部が、引張りケーブルを引き締めるようにアッパーに取外し可能に固定され得る。引張りケーブルは、該引張りケーブルの近位端部とストラップとの間にあるループ状ケーブルを貫通している。
【００１８】
１つ又は複数の実施例において、履物は、複数の引張りケーブルに固定されたウェブ状スペーサを含み、該ウェブ状スペーサは、該ウェブ状スペーサによって複数の引張りケーブルのうちの隣り合うものが互いに離間されるように、複数の引張りケーブルの隣り合うものの間に延びている。内側方フラップは、ウェブ状スペーサの近位端部に固定され得る。ストラップがアッパーに固定されると、内側方フラップは、アッパーの外面に押し付けられるように位置し、複数のループ状ケーブルのうちの少なくともいくつかを覆う。複数の引張りケーブルと複数のループ状ケーブルの両方がアッパーを貫通している場合もある。
【００１９】
１つ又は複数の実施例において、内側方フラップは、ソール構造体から後方かつ上方へ延在する第１の部分と、ソール構造体から前方かつ下方へ延在する第２の部分とを有するように構成されている。第２の部分の少なくとも一部が、ソール構造体において第１の部分の後方にある。
【００２０】
１つ又は複数の実施例において、その内側方フラップは外方の内側方フラップである一方で、内方の内側方フラップがアッパーの内側方に固定され、アッパーと外方の内側方フラップの間に配置されている。ループ状ケーブルは、内方の内側方フラップから外方の内側方フラップまで延在する。
【００２１】
１つ又は複数の実施例においては、その内側方フラップは外方の内側方フラップである一方で、内方の内側方フラップがアッパーと外方の内側方フラップとの間に配置されている。内方の内側方フラップは、足対向面（足に対向する面）の内側方の周縁の内方寄りにソール構造体の足対向面に固定されている。ループ状ケーブルは、内方の内側方フラップから外方の内側方フラップまで延在する。
【００２２】
１つ又は複数の実施例において、外側方フラップは、ソール構造体の外側方に固定され、履物の中足領域内でアッパーの外側方に沿って上方へ延在する。複数の引張りケーブルの各々は、外側方フラップに固定され、外側方フラップの自由端から延在し得る。
【００２３】
１つ又は複数の実施例において、外側方フラップは内層と外層を有する。外層は開口を有し、複数の引張りケーブルのうちの少なくとも１つが該開口の位置で露出するように横切っている。
【００２４】
１つ又は複数の実施例において、ウェブ状スペーサは、ループ状ケーブルとストラップとの間において複数の引張りケーブルに固定されている。ウェブ状スペーサは、該ウェブ状スペーサによって複数の引張りケーブルのうちの隣り合うものが互いに離間されるように、複数の引張りケーブルのうちの隣り合うものの間に延在する。ストラップの遠位端部がアッパーに固定されると、ウェブ状スペーサが該アッパーの外側方に押し付けられる位置に着座する一方で、複数の引張りケーブルは複数のループ状ケーブルの位置で向きを変えている。
【００２５】
１つ又は複数の実施例において、ストラップの遠位端部に第１の固定具部が固定されている一方で、アッパーに第２の固定具部が固定されている。第１の固定具部は、第２の固定具部に固定されるように構成されている。
【００２６】
１つ又は複数の実施例において、アッパーは、足受けキャビティを形成する前方セクション及び後方セクションを含む。前方セクションは、ソール構造体の少なくとも前足領域に固定されている。後方セクションは、該後方セクションの少なくとも一部が前方セクションよりも後方となる位置に、作動可能となるようにソール構造体に固定されており、アクセス位置と使用位置との間で変化するように関節運動する。後方セクションがアクセス位置にあるときに、足受けキャビティが履物の踵領域内で露出する一方で、後方セクションが使用位置にあるときに、後方セクションの一部が踵領域を取り囲む。ストラップは、前方セクションの外側方から前方セクションの内側方まで亘る後方セクションの背面を覆い、後方セクションが使用位置にあるときに、アッパーの内側方に固定できるように構成されている。
【００２７】
１つ又は複数の実施例において、ストラップは、該ストラップの内側に沿って互いに離間した複数の固定具部を有する。アッパーは、後方セクション、前方セクションの外側方、及び前方セクションの内側方に固定された複数の固定具部を有する。ストラップの固定具部は、アッパーの固定具部に固定できるように構成されている。
【００２８】
１つ又は複数の実施例において、アッパーの後方セクションは、該後方セクションの内側に固定具部を有する。後方セクションの内側にある固定具部は、該後方セクションが使用位置にあるときに前方セクションの外面上の固定具部に固定される。
【００２９】
本教示の上記の特徴及び利点並びに他の特徴及び利点は、添付の図面を参照しつつ本発明を実施するための以下の詳細な説明から容易に明らかとなろう。
【００３０】
以下の様々な実施形態の説明を明瞭なものとするために、本明細書において様々な語句が定義される。別段の記載のない限り、それらの定義は、本明細書（特許請求の範囲を含む）の全体に適用され得る。
【００３１】
「履物」、「製造における履物」、及び「靴」との語句は、機械と製造物の両方に関するものとして考慮され得る。本明細書において、組立て済みの完成品の履物（例えば、靴、サンダル、ブーツなど）、並びに、完成品の履物にする最終的な組立て前の履物の別個の構成要素（ミッドソール、アウトソール、アッパー構成要素など）のことを単数又は複数の履物と呼ぶことがあり、単数と複数が互いに入れ替わることもある。
【００３２】
「１つ」、「１つの」、「その」、「少なくとも１つの」、及び「１つ又は複数の」との語句は交換可能に用いられ、少なくとも１つの物品が存在することを示している。文章中で別段の断わりのない限り、複数のその物品が存在し得る。文章中（添付の特許請求の範囲を含む）で明確に別段の記載がない限り、この詳細な説明のパラメータ（例えば、量や条件）の数値のいずれもが、その数値の前に実際に「約」の記載がなくとも、すべての事項において「約」との語句によって修飾されるべきものと理解されたい。「約」が意味することは、言及された数値に若干の不正確性（正確な値に達するまでいくらかのアプローチを有する、その値にかなり近いこと）を許容することである。「約」との語句で与えられる不正確性が、当技術分野において別段の理解をされるのではない場合、本明細書において使用される「約」は、そのようなパラメータを使って通常の測定方法から生じ得るバリエーションが少なくともあることを示している。加えて、範囲の開示については、その範囲内のすべての値と、その範囲内においてさらに分断された範囲を具体的に開示しているものとして理解されたい。言及したすべての文献の全体が本願の参照となる。
【００３３】
「備える」、「含む」、及び「有する」との語句には、包含している意味合いがあり、従って、言及された特徴部、ステップ、オペレーション、エレメントないし構成要素が存在することを特定しているが、１つ又は複数の他の特徴部、ステップ、オペレーション、エレメントないし構成要素が存在することつまり追加されることを除外するものではない。実施可能な追加的又は代替的なステップが採用され得る場合、ステップ、プロセス、及びオペレーションの順序は変更され得る。本明細書において使用される「又は」との語句は、関連する物品として挙げられたもののうちの１つを含む場合もあれば、すべての組合せを含む場合もある。「どの」との語句は、挙げられた物品の「うちの任意の１つ」を含む、挙げられた物品の種々の可能な組合せを含むことを意味するものと理解されたい。「いずれの」との語句は、引用された請求項の「うちの任意の１つ」を含む、添付の特許請求の範囲に記載の引用された請求項の種々の可能な組合せを含むものと理解されたい。
【００３４】
この発明の詳細な説明において、一貫性と利便性を与えるために、図示された実施例に対応するように方向を示す形容詞が使われているが、当業者であれば、特許請求の範囲によって画定される本発明の範囲に限定を加えることなく、図面に関して、「上」、「下」、「上方」、「下方」、「上面」、「底面」等の語句が説明のために使用され得ることを理解されよう。
【００３５】
この発明の詳細な説明及び特許請求の範囲において使用される「長手方向」との語句は、構成要素の長さが延びている方向を示している。例えば、靴の長手方向は、前足領域と靴の踵領域との間に延びている。「前方」ないし「前部」との語句は、概ね踵領域から前足領域へ向かう方向を示すために使用され、「後方」ないし「後部」との語句は、反対の方向すなわち前足領域から踵領域へ向かう方向を示すために使用されている。いくつかの場合、長手方向軸とともに、その軸に沿った前方への長手方向及び後方への長手方向を使って、構成要素が特定され得る。長手方向ないし軸もまた前後方向ないし軸として示される。
【００３６】
この発明の詳細な説明及び特許請求の範囲において使用される「横断方向」との語句は、構成要素の幅方向に延びる方向を示している。例えば、靴の横断方向は、靴の外側方と内側方との間に延びている。横断方向又は横断軸に沿う方向のことを、外側方への方向ないし軸に沿う方向、中外側方への方向ないし軸に沿う方向ともいう。
【００３７】
この発明の詳細な説明及び特許請求の範囲において使用される「垂直方向」との語句は、外側方への方向と長手方向のいずれともほぼ直交する方向のことを示す。例えば、靴が地面に平らに置かれた場合に、垂直方向は地面から上方へ延び得る。これらの方向を示す形容詞のうちのいくつかは、靴の構成要素にも使われ得ることが理解されよう。「上方」ないし「上方へ」との語句は、足の甲、アッパーの締結領域及び／又は履き口を含み得る構成要素の天部を指し示す垂直方向のことを示す。「下方」ないし「下方へ」との語句は、垂直方向に沿って上方への方向とは反対の方向すなわち構成要素の底面へ向かう方向のことであり、履物のソール構造体の底面へ向かう方向を概ね指し示している。
【００３８】
靴などの履物の「内方」とは、その靴を着用者が履いているときにその着用者の足によって占有される空間の部分を示す。また、構成要素の「内側」とは、組立て完了後の履物において履物の構成要素の内方を指向している（又は指向する）構成要素の側ないし面のことを示す。構成要素の「外方」ないし「外側」とは、組立て完了後の靴における靴の内方から離れる方向を指向している（又は指向する）構成要素の側ないし面のことを示す。いくつかの場合、他の構成要素が、組立て済みの履物における構成要素の内側と内方との間にあり得る。さらに、「内方」及び「内方向」との語句は、靴などの履物の構成要素の内方へ向かう方向のことを示し、「外方」及び「外方向」との語句は、靴などの履物の構成要素の外方へ向かう方向のことを示し得る。加えて、「近位」との語句は、ある履物構成要素の中心部に近づく方向のことを示し、或いは履物の使用者が履物に足を差し入れて履いているときにおいては足に近づく方向のことを示す。同様に、「遠位」との語句は、その履物構成要素の中心から離れる方向のことを示し、或いは履物の使用者が履物に足を差し入れているときにおいて足から離れる方向を示す。つまり、遠位と近位との語句は、相対的な空間上の位置にあることを説明するためにほぼ反対語として用いられる語句である。
【図面の簡単な説明】
【００３９】
【図１】履物の内側方を概略的に示す図であって、アッパーの後方セクションが使用位置にあり、ストラップの遠位端部が該アッパーおよびその後方セクションまで延びている。
【図２】図１に示した履物の外側方を概略的に示す図。
【図３】図１に示した履物の前方を概略的に示す斜視図。
【図４】図１に示した履物の外側方を概略的に示す斜視図であり、ストラップの遠位端部が非固定位置にある一方で、アッパーの後方セクションがアクセス位置にある。
【図５】本教示の代替的な実施例における履物の内側方を概略的に示す斜視図であって、使用位置においてストラップの遠位端部がアッパーの後方セクションに固定されている。
【図６】図５に示した履物の外側方を概略的に示す図。
【図７】図５に示した履物の内側方を概略的に示す斜視図であって、非固定位置にあるストラップの一部が示されているとともに、使用位置にあるアッパーの後方セクションが示されている。
【図８】図５に示した履物を概略的に示す前方斜視図。
【図９】図５に示した履物の外側方を概略的に示す斜視図であって、ストラップの遠位端部が非固定位置にあり、アッパーの後方セクションがアクセス位置にある。
【図１０】図５に示した履物を概略的に示す背面図であって、ストラップが非固定位置にあり、後方セクションがアクセス位置にある。
【図１１】図５に示した履物を概略的に示す背面図であって、ストラップが非固定位置にある一方で、後方セクションが使用位置にある。
【図１２】図５に示した履物を概略的に示す背面図であって、ストラップが固定位置にあり、後方セクションが使用位置にある。
【図１３】本教示の代替的な実施例における履物の内側方を概略的に示す図であって、ストラップの遠位端部が、使用位置にあるアッパーの後方セクションに固定されている。
【図１４】本教示の代替的な実施例における履物を概略的に示す背面図であって、ストラップが非固定位置にある一方で、後方セクションが使用位置にある。
【図１５】図１４に示した履物を概略的に示す背面図であって、ストラップが固定位置にあり、後方セクションが使用位置にある。
【図１６】本教示の代替的な実施例における内側方フラップを有する履物の内側方を概略的に示す図であって、ストラップの遠位端部がアッパーの前方セクションに固定されている一方で、アッパーの後方セクションが使用位置にある。
【図１７】図１６に示した履物の外側方を概略的に示す図。
【図１８】図１６に示した履物の前方を概略的に示す斜視図。
【図１９】図１６に示した履物の外側方を概略的に示す斜視図であって、ストラップの遠位端部が非固定位置にあり、アッパーの後方セクションがアクセス位置にある。
【図２０】図１８に示した履物について図１８中の線２０―２０に沿って切り出される断面を概略的に示す図。
【図２１】本教示の代替的な実施例における履物を概略的に示す斜視図であって、ストラップの遠位端部がアッパーに固定されている。
【図２２】図２１に示した履物について図２１中の線２２―２２に沿って切り出される断面を概略的に示す図。
【図２３】図２１に示した履物の一部を概略的に示す拡大図。
【図２４】本教示の代替的な実施例における履物を概略的に示す斜視図であって、ストラップの遠位端部がアッパーの後方セクションに固定されており、アッパーの後方セクションが使用位置にあり、アッパーの前方セクションに固定されている。
【図２５】図２４に示した履物の外側方を概略的に示す斜視図であって、ストラップが非固定位置にある一方で、後方セクションがアクセス位置にある。
【図２６】図２４に示した履物について図２４中の線２６−２６に沿って切り出される断面を概略的に示す図であって、ストラップが僅かに持ち上げられている。
【発明を実施するための形態】
【００４０】
各図を通じて、同様の参照符号は同様の構成要素を示している。足用開口部を広げるために手を使って履き口領域を引き延ばすことが必要なだけでなく、靴紐を締て結んで固定することが必要な従来の履物と比べて、手先の器用さをそれほど必要とせずに、素早く比較的簡単に足の差し入れと固定を可能にする特徴部を有する履物の様々な実施例を示す。具体的には図１に示されるように、履物１０が、ソール構造体１２と、該ソール構造体１２に固定されたアッパー１６とを有する。このアッパー１６によって形成されている足受けキャビティ１８は、この足受けキャビティ１８の開口を広げるために手を使ってアッパーを引っ張らなくても、足２０（図４において破線で示されている）を受けるように構成されている。アッパー１６は、靴紐の調節も靴紐を結ぶことも必要としない締結システム２２を使って、足２０の周りに締めて固定される。
【００４１】
本明細書において説明される履物１０は、バスケットボールなどのスポーツ用に構成された運動靴として描かれるが、本発明の履物１０及び締結システム２２は、バスケットボールシューズ又は他のスポーツシューズに限定されるものではない。本発明の履物１０の締結システム２２及び他の特徴部は、ランニング、テニス、フットボール、サッカーなどの様々な他のスポーツ用の履物にも使用され得るが、これらの履物に限定されない。履物の締結システム２２及び他の特徴部は、レジャー用の靴、ドレスシューズ、作業靴、サンダル、スリッパ、ブーツ、又は履物の他のカテゴリに含まれる靴にも適用され得る。
【００４２】
図１に示されるように、履物１０は、前足領域２４、中足領域２６、踵領域２８、及び足首領域３１に分断され得るものであり、各領域はそれぞれ、ソール構造体１２及びアッパー１６並びに該アッパー１６によって画定される足首領域３１の前足領域、中足領域及び踵領域でもある。前足領域２４は概して、つま先と、中足骨を指骨に繋いでいる関節とに対応する履物１０の部分を含む。中足領域２６は概して、土踏まずの領域と足の甲に対応する履物１０の部分を含み、踵領域２８は、踵骨を含む足の後部に対応する。足首領域３１は足首（踝）の位置に対応する。前足領域２４、中足領域２６、踵領域２８、及び足首領域３１とは、履物１０の厳密な領域を規定することを意図するものではなく、以下の説明をし易くするために履物１０のおよその領域を示すことを意図するものである。
【００４３】
ソール構造体１２は、ミッドソール３２とアウトソール３４を含む。ミッドソール３２は、歩くとき、走るとき又は他の歩行活動の際に足２０と地面との間で圧縮されたときに、地面からの反作用の力を緩和する（すなわち、クッション機能をもたらす）圧縮可能なポリマ発泡体エレメント（例えば、ポリウレタン又はエチルビニルアセテートの発泡体）から形成され得る。さらなる構成において、ミッドソール３２は、流体の充填されたチャンバ、プレート、減速材又は他のエレメントを組み込んでいる場合があり、これらは、抗力を緩和し、安定性を向上させ、或いは足２０の運動に影響する。ミッドソール３２は、単一のワンピース構成のミッドソールである場合もあれば、複数の構成要素がユニットとして統合されたものである場合もある。いくつかの実施例において、ミッドソール３２は、アウトソール３４に統合されて単一のソールとされ得る。アウトソール３４は、ワンピースからなる場合もあれば、いくつかのアウトソール構成要素からなる場合もあり、静止摩擦力を呈するようにテクスチャード加工され更には／或いはミッドソール３２に固定されたクリートなどの静止摩擦エレメントを含む耐摩耗性ゴムから形成され得る。
【００４４】
アッパー１６は、前方セクション１６Ａと、別個の後方セクション１６Ｂとを含む。図１〜４に含まれる実施例において、セクション１６Ａ，１６Ｂは協働して、足が差し入れられた後に後方セクション１６Ｂがアクセス位置（図４）から使用位置（図１）まで動くことを可能とするように構成されている。この動きは手を使うことなく実行される場合もあれば、手を使って実行される場合もある。例えば、着用者が他方の足を使って後方セクション１６Ｂを使用位置まで動かすこともできる。本明細書において説明されるように、履物１０のこれらの特徴及び他の特徴があることにより、アクセス位置において、手を使わず履物１０へ足を差し入れることが容易となる。使用位置を維持することは、前方セクション１６Ａに後方セクション１６Ｂを固定する締結システム２２のストラップ４０を使ってなされる。
【００４５】
履物１０の足受けキャビティ１８内に足２０が置かれると、その足２０はミッドソール３２の足対向面上に支持される。ミッドソール３２の足対向面は、アッパー１６の低位領域に固定されたストローベル（図示せず）によって覆われ得る。また、インソール（図示せず）が、ストローベル上に着座し得る一方で、ストローベルのない実施例においては直接ソール構造体１２上に着座する場合もあり、その場合に足２０は、ソール構造体１２とインソールの両方に支持されることになる。
【００４６】
履物１０は、（図２に示した）外側方４２（第１の側方ともいう）と、（図１に示した）内側方４４（第２の側方ともいう）とを有する。外側方４２と内側方４４は、前足領域２４、中足領域２６、踵領域２８及び足首領域３１の各々に亘るように延在し、履物１０の互いに対向する側にある。つまり各々は互いに、当業者によって理解され得るように、履物１０の長手方向に延びる中央線に関して対称となる側である。そのように、内側方４４は外側方４２に対して反対側にあるものとして説明する。
【００４７】
アッパー１６は、皮革、織物、ポリマ、綿、発泡体、及び合成物等の様々な材料からなり得る。前方セクション１６Ａは本体３０を含み、この本体３０は、足を差し入れることを助け、履き心地を良くするために、後方セクション１６Ｂの１つ又は複数の材料と比べて大きな弾力性若しくは優れた通気性を有する材料からなり、又は優れた弾力性と通気性を併せ持つ材料からなる。後方セクション１６Ｂは、踵領域２８に安定性をもたらすように前方セクション１６Ａの本体３０よりも硬い１つ又は複数の材料からなり得る。例えば、前方セクション１６Ａは、弾力性を呈するポリマ材料からなる場合もあれば、網状の構成、編み物（例えば、縦編み）の構成、又は織物の構成を有する場合もある。
【００４８】
本明細書において説明されるように、締結システム２２は、ストラップ４０と、ケーブル及び固定具とを含む。ストラップ４０の遠位端部５２は、前方セクション１６Ａへ向けて押されるだけで固定具５４を介してアッパー１６の前方セクション１６Ａの内側方４４に取外し可能に固定され、アッパー１６から離れる方向へ剥がされるだけで、前方セクション１６Ａの内側方４４から取り外される。この締結システム２２は、後方セクション１６Ｂがアクセス位置にあるときに、足２０の周りに前方セクション１６Ａの本体３０を締めることを調節可能にして確実にフィットさせることができ、これにより、アッパー１６の下に横たわるソール構造体１２に対して足２０を固定させることができる。図４及び図９に示されるように、ストラップ４０がアッパー１６から外方へ延びるように保持されているときに、ストラップの遠位端部５２は、該ストラップ４０の近位端部７２よりもアッパー１６から離れている。本明細書において、構成要素の「端部」とは、構成要素の終端縁に限定されるものではなく、終端部付近にある構成要素の部分も含む。
【００４９】
図２〜図４を参照すると、締結システム２２は、第１の複数の引張りケーブル５６も含む。引張りケーブル５６の近位端部５８は、バイト（噛合）ライン５０付近の外側方４２に、前方セクション１６Ａ及びソール構造体１２のうちの少なくとも一方に固定されている。複数の引張りケーブル５６の近位端部５８付近は、前方セクション１６Ａの本体３０内か前方セクション１６Ａの外面６０の少なくとも内面方寄りのいずれかに設けられており、ついには、これらの引張りケーブル５６は前方セクション１６Ａの孔６２の位置でアッパー１６から表面に現れ、この位置から、該引張りケーブル５６は前方セクション１６Ａの外へ延びている。例えば、引張りケーブル５６は、前方セクション１６Ａの内層と外層との間に配置されている場合もあれば、これらを貫通している場合もあれば、前方セクション１６Ａ内に一体に織り込まれ又は固定されたチャネル内に配置されている場合もある。近位端部５８が固定されるとともに複数の孔６２が互いに離間して配置されることにより、近位端部５８と孔６２との間において引張りケーブル５６の隣り合うものの部分どうしが互いにオーバラップすることなく、互いに離間されることが確保される。
【００５０】
図１及び図３に最もよく示されているように、締結システム２２は、複数のループ状ケーブル６４をさらに含む。ループ状ケーブル６４の近位端部６６は、内側方４４のバイトライン５０付近において、アッパー１６の前方セクション１６Ａ及びソール構造体１２のうちの少なくとも一方に固定されている。複数の引張りケーブル５６は近位端部５８から、前方セクション１６Ａの外側方４２に沿って上方へ延びており、複数のループ状ケーブル６４は前方セクション１６Ａの内側方４４において、近位端部６６から上方へ延びている。
【００５１】
引張りケーブル５６と同様に、ループ状ケーブル６４の近位端部６６付近が、前方セクション１６Ａ内か前方セクション１６Ａの外面６０の少なくとも内面方寄りに設けられており、ついには、これらのループ状ケーブル６４は前方セクション１６Ａの孔６８の位置でアッパー１６から表面に現れ、この位置で、ループ状ケーブル６４のループ状端部７０が前方セクション１６Ａの外方へ延びている（図３に最もよく示されている）。ループ状ケーブル６４は、前方セクション１６Ａの本体３０の内層と外層との間に配置されている場合もあれば、前方セクション１６Ａ内に一体に織り込まれ或いは固定されたチャネル内に配置されている場合もある。近位端部６６が固定され複数の孔６８が離間して配置されることにより、近位端部６６と孔６８との間においてループ状ケーブル６４の隣り合うものの部分どうしが互いにオーバラップすることなく、互いに離間して配置されることが確保される。ループ状端部７０は、ループ状ケーブル６４の一連のループからなり、該ケーブルの２つの終端部が近位端部６６の位置にある。代替的に、ループ状端部７０は、ケーブル６４の２つの部分を互いに縫い合わせ又は結び付けてループを形成することにより実現される場合もあれば、ケーブル６４の端部に孔を形成する種々の手段により実現される場合もある。
【００５２】
本明細書において使用される、引張りケーブル５６、ループ状ケーブル６４などの「ケーブル」とは、柔軟で、細長く伸張性のあるエレメントのことであり、引張り荷重に耐える能力のある構造物のことであり、靴紐、ストランド、ワイヤ、コード、糸又は紐その他を含むがこれらに限定されない。ケーブル５６，６４は、（ａ）特定の方向ないし位置にアッパー１６が伸びてしまわないように抵抗し、（ｂ）ソール構造体１２及びアッパー１６に対して足が動き過ぎないように制限し、（ｃ）ソール構造体１２及びアッパー１６に対して足が適正に位置決めされたままにし、（ｄ）力の集中する位置を補強する、ように配置され得る。非限定的な実施例において、ケーブル５６，６４の適切な材料は、レーヨン、ポリアミド、ポリエステル、アクリル系ポリマ、絹、綿、カーボン（炭素）、ガラス、アラミド（例えば、パラアラミド繊維及びメタアラミド繊維）、超高分子量のポリエチレン、液晶ポリマ、銅、アルミニウム又はスチールから形成された様々なフィラメント、並びに繊維、編み糸、糸又はロープを含む。
【００５３】
図３を引き続き参照すると、複数の引張りケーブル５６は、該複数の引張りケーブル５６の近位端部５８と、ストラップ４０の近位端部７２に固定されたケーブル５６の遠位端部７１（図２及び図４に示されている）との間において、複数のループ状ケーブル６４を貫通している。図１に示されるように、ストラップ４０の遠位端部５２が前方セクション１６Ａに固定されている場合に、複数の引張りケーブル５６は、複数のループ状ケーブル６４の位置で向きを変えており、これらの起点（起源）である外側方４２へ向かって戻るようにして重なる。
【００５４】
複数の引張りケーブル５６は、近位端部５８から一緒に経路を辿って同一の孔６２を通り、同じループ状ケーブル６４を貫通している。例えば、図３に最もよく示されているように、２本の引張りケーブル５６（図３に参照符号５６Ａ，５６Ｂとして示されている）は、近位端部５８から孔６２まで互いに接触しつつ平行に延びており、孔６２から表面に現でている。換言すれば、一対の引張りケーブル５６が、各孔６２から外へ延在し、本明細書において説明されるように、この一対は一緒に経路を辿るものである。一対で各孔６２を貫通していることにより、さらに大きな張力が与えられ、調節時にケーブル５６がループ状ケーブル６４内を摺動するときに生じ得る種々の摩擦ないし摩耗が一対のケーブル５６の両方の面上に分散される。本明細書において使用される、引張りケーブルの「隣り合うもの」とは、隣り合う孔６２から延出する引張りケーブル５６、又は隣り合う孔６８から延出するループ状ケーブル６４のことであり、同じ孔から延出する複数のケーブルのことではない。例えば、２本以上の引張りケーブル５６が各孔６２から延出する場合もある。同様に、各孔６８から２本以上のループ状ケーブル６４が延出しており、１本の引張りケーブル５６（又は、同一の孔６２から出現している一対の引張りケーブル）が、同一の孔６８から延在するそのようなループ状ケーブル６４の各々を貫通している場合もある。
【００５５】
ストラップ４０の近位端部７２は、複数の引張りケーブル５６の遠位端部７１に接続されている。ウェブ状スペーサ８０が、ストラップ４０とループ状ケーブル６４との間において複数の引張りケーブル５６に固定されている。複数の引張りケーブル５６は、複数の引張りケーブル５６の近位端部５８とウェブ状スペーサ８０との間において複数のループ状ケーブル６４を貫通している。ウェブ状スペーサ８０はウェビング（網目状のもの）８２を含み、該ウェブ状スペーサ８０のウェビング８２によって複数の引張りケーブル５６のうちの隣り合うものが互いに離間されるように、該ウェビング８２は、複数の引張りケーブル５６のうちの隣り合うものの間に延びている。こうして、ウェブ状スペーサ８０は、少なくともストラップ４０が図１に示した固定位置にあるときに、ループ状ケーブル６４とストラップ４０との間において複数の引張りケーブル５６のうちの隣り合うものの露出部分をも互いに離間させておくことに寄与する。ウェブ状スペーサ８０は、引張りケーブル５６の隣り合うものを互いに離して広げることによって、引張りケーブル５６が絡まることを防ぐことにも寄与する。孔６２及びループ状ケーブル６４のこの配置と、ウェブ状スペーサ８０とを併せ持つことにより、孔６２とストラップ４０との間において引張りケーブル５６の隣り合うものが互いに離間して配置される。これによって、引張りケーブル５６の隣り合うものが絡まることが防止され、ひいては、張力が複数のケーブル５６全体に均等に分散すること、及び締め付けられた本体３０の圧力がケーブル５６，６４の領域（足の甲の位置など）内で足全体に均等に分散することが維持される。
【００５６】
ウェブ状スペーサ８０は、柔軟なポリマ材料からなり得る。例えば、ウェブ状スペーサ８０は、表皮とも呼ばれる弾力性のある（すなわち、伸縮可能な）膜状の内層８０Ａと外層８０Ｂであり得る。非制限的な実施例において、ウェブ状スペーサ８０の材料として、伸縮可能な熱可塑性ポリウレタン、又は比較的薄いＬＹＣＲＡ（登録商標）若しくはＳＰＡＮＤＥＸ（登録商標）の織物材料若しくはこれらの材料を含む合成物、又は伸縮性の合成材料を含む他の比較的薄くて柔軟な材料がある。これらの材料から形成されることにより、ウェブ状スペーサ８０は、比較的薄くて平坦に形成されており、図１及び図２に示したようにストラップ４０の遠位端部５２が前方セクション１６Ａに固定されているときに、前方セクション１６Ａの本体３０の外面６０に押し付けられて外面６０の形状と整合し得る。
【００５７】
図４に内層８０Ａが示されている一方で、図２に外層８０Ｂが示されている。このようなウェブ状スペーサ８０を引張りケーブル５６に取り付けるに際して、隣り合う引張りケーブル５６が所望の間隔をもって配置されるように、複数の引張りケーブル５６が内層８０Ａと外層８０Ｂとの間に配置される。層８０Ａ，８０Ｂ間にホットメルト・フィルム又は他の接着剤がさらに配置された後、これらの層８０Ａ，８０Ｂは均一の熱加圧プロセスによって一体に結合される。ウェブ状スペーサ８０の位置における引張りケーブル５６の部分はこうして、これらの層８０Ａ，８０Ｂに覆われ、固定され、若しくは層８０Ａ，８０Ｂ間に捕捉され、ウェブ状スペーサ８０内で摺動しないようにウェブ状スペーサ８０に固定される。
【００５８】
図２及び図４に最もよく示されるように、ウェブ状スペーサ８０は四角形の形状に形成されており、その角部に丸みを帯びている場合もあれば尖っている場合もある。ウェブ状スペーサ８０の４つの側面は互いに平行ではない。ウェブ状スペーサ８０の遠位端縁８３は、該ウェブ状スペーサ８０の近位端縁８５よりも短い。ウェブ状スペーサ８０の幅は、近位端縁８５から遠位端縁８３へ向かって先細となるように形成されている。ウェブ状スペーサ８０が先細の形状に形成されていることにより、隣り合う引張りケーブル５６の各対及びこれらの各対の間のそれぞれのウェビング８２の間の間隔が、ウェブ状スペーサ８０に沿ってストラップ４０へ向かって（すなわち、近位端縁８５から遠位端縁８３へ向かって）に次第に狭くなっている。図３に明確に示されているように、近位端縁８５の幅は、複数のループ状ケーブル６４のうちの最後列のものから該ループ状ケーブル６４の最前列のものまでの距離よりも狭くつくられている。従って、ウェブ状スペーサ８０は、隣り合う引張りケーブル６４を互いに近づけるように徐々に集めること、及び互いに幅広く離間した複数のループ状ケーブル６４から幅狭のストラップ４０の位置における遠位端部７１までの引張りケーブル５６の道筋を案内するように先細の形状に形成されている。
【００５９】
ストラップ４０の遠位端部５２が前方セクション１６Ａの内側方４４に固定されると（図３を参照）、ウェブ状スペーサ８０は、前方セクション１６Ａの外側方４２に押し付けられるように配置され着座する一方で、複数の引張りケーブル５６は、複数のループ状ケーブル６４の位置で向きを変えている。ストラップ４０がこのように固定されると、ウェブ状スペーサ８０は前方セクション１６Ａの外側方４２に押し付けられるように着座するので、該ウェブ状スペーサ８０は（特にはウェブ状スペーサのないものと比較して）引張ケーブル５６が外側方４２から抗力を受けて摩耗することを防ぐように役立つ。
【００６０】
本明細書においてさらに説明されるように、ストラップ４０上及びアッパー１６上に配置された固定具５４が、前方セクション１６Ａの内側方４４と外側方４２の両方の位置に所望の支持の組合せをもたらすとともに、ストラップ４０の締付けと位置の調節を可能にしている。具体的には、固定具５４がストラップ４０上の固定具部５４Ａ，５４Ａ１と、アッパー１６上の固定具部５４Ｂ１，５４Ｂ２とを含み、これらが協働して、前方セクション１６Ａにストラップ４０を取外し可能に固定することを支援し、これによりストラップ４０は、後方セクション１６Ｂを使用位置に維持することができる。例えば、図４に示されているように、第１の固定具部５４Ａ１は、ストラップ４０の遠位端部５２においてストラップ４０の内側９６に固定されている。第２の固定具部５４Ｂ１が前方セクション１６Ａの内側方４４に固定されている一方で、第２の固定具部５４Ｂ２は、前方セクション１６Ａの外側方４２に固定されている。第１の固定具部５４Ａは、第２の固定具部５４Ｂ１に固定するように構成されている。図示した実施例において、固定具５４は面ファスナ（フックアンドループ・ファスナ）であり、第１の固定具部５４Ａ，５４Ａ１がフックである一方で、第２の固定具部５４Ｂ１，５４Ｂ２がループである。或いは、第１の固定具部５４Ａ，５４Ａ１がループである一方で、第２の固定具部５４Ｂ１，５４Ｂ２がフックである場合もあり、第１の固定具部５４Ａ，５４Ａ１のいくつかがフックで他がループである一方で、第２の固定具部５４Ｂ１，５４Ｂ２のいくつかがフックで他がループである場合もあれば、第１の固定具部５４Ａ，５４Ａ１の１つ又は複数がフックとループの組合せである一方で、第２の固定具部５４Ｂ１，５４Ｂ２の１つ又は複数がフックとループの組合せである場合もある。さらには、留め金やボタン等の他の固定具が使用される場合もある。
【００６１】
図４に最もよく示されるように、ストラップ４０の複数の第１の固定具部５４Ａは該ストラップ４０の内側８６に沿って互いに離間されており、これによって、該ストラップ４０をアッパー１６上に様々に位置決めして固定状態にすることが可能となる。ストラップ４０に沿って複数の第１の固定具部５４Ａを互いに離間させておくことにより、ストラップ４０の材料の弾力性の方が固定具部５４Ａの材料の弾力性よりも大きい場合、隣り合う固定具５４Ａ間でストラップ４０をさらに伸張させることが可能となる。換言すると、張力を受けたときに、隣り合う固定具部５４Ａ又は５４Ａ１間のストラップ４０の部分が伸張し得る一方で、弾力性の劣る固定具部５４Ａ又は５４Ａ１が固定されているストラップ４０の部分は伸張する能力が低い。
【００６２】
アッパー１６の前方セクション１６Ａは、該前方セクション１６Ａの外側方４２に固定された第２の固定具部５４Ｂ２と、該前方セクション１６Ａの内側方４４に固定された他の第２の固定具部５４Ｂ１とを有する。１つ又は複数の追加的な第２の固定具部（図示せず）が後方セクション１６Ｂの外面に固定される場合もある。ストラップ４０は、前方セクション１６Ａの外側方４２から前方セクション１６Ａの内側方４４にかけて後方セクション１６Ｂの背後を巻くように構成されており、図１及び図２に示されるように、後方セクション１６Ｂが使用位置にあるときに、前方セクション１６Ａの内側方４４で第２の固定具部５４Ｂ１に固定されている。固定具部５４Ａのいくつかは、第２の固定具部５４Ｂ２に固定する。
【００６３】
後方セクション１６Ｂは、アクセス位置（図４）と使用位置（図１〜図３）との間で変化するように、前方セクション１６Ａに対して動くことができる。本明細書において使われるアクセス位置と使用位置「との間で変化する」とは、後方セクション１６Ｂがある位置から別の位置まで動くことを意味する。図４に示されるように、アクセス位置と使用位置のどちらにおいても、後方セクション１６Ｂの少なくとも一部が前方セクション１６Ａの後方にある。後方セクション１６Ｂは、折曲げ領域４６の位置で前方セクション１６Ａに対して下方かつ後方へ折れ曲がると、足受けキャビティ１８を後方から開いてアクセス位置となり、矢印Ａで示されている前方かつ下方の方向に足２０を差し入れることが可能となる。図４に最もよく示されるように、折曲げ領域４６は、図示した実施例においてソール構造体１２から離間している。或いは、足受けキャビティ１８に後方からさらにアクセスし易くするために、ソール構造体１２とアッパー１６との間のバイトライン５０の位置などにおいて、後方セクション１６Ｂは、ソール構造体１２に近づくように前方セクション１Ａに対して折れ曲がる場合もある。後方セクション１６Ｂがアクセス位置にあるときに、足受けキャビティ１８が履物１０の踵領域で露出する一方で、後方セクション１６Ｂが使用位置にあるときに、該後方セクション１６Ｂの一部が踵領域２８を取り囲む。足２０自体は、その足を差し入れるときに、足２０と足首周りを収めるのに必要な程度にまで前方セクション１６Ａの外側方と内側方４２，４４とを横断軸に沿う方向（すなわち、長手方向の中央線と直交する外方向）に、互いに離すように広げる。
【００６４】
図１及び図２に示されるように、後方セクション１６Ｂが使用位置にあるときに、内側方インターフェイス８４において前方セクション１６Ａの後方内側方端縁９３と後方セクション１６Ｂとが整合する一方で、外側方インターフェイス８６において前方セクション１６Ａの後方外側方端縁９５と後方セクション１６Ｂとが整合する。前方セクション１６Ａの内側方４４と外側方４２上に設けられた固定具部５４Ｂ１，５４Ｂ２はそれぞれ、内側方インターフェイス８４と外側方インターフェイス８６の境界を画定している。後方セクション１６Ｂが使用位置にあるときにストラップ４０が内側方インターフェイス８４と外側方インターフェイス８６を越えることができ、ストラップ４０の複数の固定具部５４Ａ，５４Ａ１は、内側方固定具部５４Ｂ１（図１）と外側方固定具部５４Ｂ２（図２）に固定されている。
【００６５】
後方セクション１６Ｂは、後方へ折れ曲がることにより使用位置からアクセス位置まで変化するように関節運動する。そのような実施例においては、後方セクション１６Ｂがアクセス位置にあるときよりも使用位置にあるときに、該後方セクション１６Ｂの前方内側方端縁９７が前方セクション１６Ａの後方内側方端縁９３に近づく一方で、後方セクション１６Ｂがアクセス位置にあるときよりも使用位置にあるときに、該後方セクション１６Ｂの前側外側方端縁９９が前方セクション１６Ａの後方外側方端縁９５の近くになる。後方セクション１６Ｂの使用位置は、足受けキャビティ１８内へ足２０が差し入れられたときに足２０と足首の周囲の長さに応じて前方セクション１６Ａに対して僅かに前後にずれることがあるにせよ、どの場合においても、アクセス位置よりも前方にある。例えば、足首周りが比較的小さい場合には、後方セクション１６Ｂが使用位置にあるときに該後方セクション１６Ｂの前方内側方端縁９７は前方セクション１６Ａの後方内側方端縁９３の前方かつ内方にある一方で、後方セクション１６Ｂが使用位置にあるときに該後方セクション１６Ｂの前方外側方端縁９９は前方セクション１６Ａの後方外側方端縁９５の前方かつ内方にある。換言すると、後方セクション１６Ｂは、アッパーの内側方と外側方に対する靴の舌革と同様に、図１に示した位置よりも、前方セクション１６Ａの僅かに前方かつ内方へ折れ曲がる。対照的に、足首周りが比較的大きい場合には、後方セクション１６Ｂが使用位置にあるときに該後方セクション１６Ｂの前方内側方端縁９７が前方セクション１６Ａの後方内側方端縁９３よりも後方にある一方で、後方セクション１６Ｂが使用位置にあるときに該後方セクション１６Ｂの前方外側方端縁９９は、図１に示した位置よりも前方セクション１６Ａの後方外側方端縁９５の僅かに後方にある。これらの各場合において、後方セクション１６Ｂは依然として、ストラップ４０によって使用位置に保持されている。
【００６６】
前方セクション１６Ａと後方セクション１６Ｂは、足を差し入れるときに前方セクション１６Ａが足の力を受けて崩れ、足受けキャビティ１８との整列が少しずれてしまうことを防ぐよう支援するように構成されている。例えば、後方内側方端縁９３と後方外側方端縁９５の全体が履物１０の踵領域２８においてほぼ垂直となっている。この構成を有することにより（後方内側方端縁と後方外側方端縁が前方へ傾斜している構成と比較して）、足の差し入れ位置がずれたときにも、前方セクション１６Ａがつぶれて崩壊しないように抵抗することができる。
【００６７】
図５〜図１２においては、本教示の範囲に含まれる代替的な実施例における履物１１０が示されている。履物１１０は、履物１０に関して説明したのと同様に構成され機能する、履物１０と同様の特徴部（同様の参照符号で示されている）の多くを有する。履物１１０は、異なる構成の第２の固定具部１５４Ｂを有し、少し異なる前方セクション１１６Ａ、及び異なる関節運動をする後方セクション１１６Ｂを有し、後方セクション１１６Ｂが使用位置にあるときに前方セクション１６Ａに後方セクション１１６Ｂを磁気カップリングさせる一式の磁気エレメントを有する。
【００６８】
図９、図１１及び図１２に最もよく示されているように、履物１１０は、外側方４２から内側方４４にかけて踵領域２８の背面を取り囲むように延びているミュール部１１６Ｃを含む、ミュールとして構成された前方セクション１１６Ａを有する。テザー（つなぎ）１４０が、前方セクション１１６Ａに後方セクション１１６Ｂを結合させる。例えば、テザー１４０は、該テザー１４０の一端部において前方セクション１１６Ａに縫い付けられているか或いは固定されており、該テザー１４０の他端において後方セクション１１６Ｂに縫い付けられているか或いは固定されている。テザー１４０は、引張荷重に耐性のある柔軟で細長い構造体である。テザー１４０は、例えば、織物ポリマなどの材料からなる。テザー１４０は、ストラップ、コード、フィラメント、ストランド、リボン、チューブ、束ね紐、細長片、ケーブル、靴紐、ベルト、紐、糸、ロープ、ワイヤ及びウェブのうちから選択された１つ又は複数のもの或いは２つ以上の組合せからなり得る。テザー１４０は弾力性を有しないものであるか、或いは張力（すなわち、テザー１４０を伸張させる力）を受けても該テザー１４０の長さの増加を最小限に抑えることができるほど小さい弾力性を有するものである。
【００６９】
固定具部材１５４Ｂは、後方セクション１１６Ｂを使用位置に保持することを支援するように、特には前方セクション１１６Ａと後方セクション１１６Ｂ上に配置されている。図５及び図６に最もよく示されているように、使用位置においては、内側方インターフェイス８４において前方セクション１１６Ａの後方内側方端縁９３が後方セクション１１６Ｂの前方内側方端縁９７に整合する一方で、外側方インターフェイス８６において前方セクション１１６Ａの後方外側方端縁９５が後方セクション１１６Ｂの前方外側方端縁９９と整合する。しかし、図９に最もよく示されているように、アクセス位置においては、後方セクション１１６Ｂの前方内側方端縁９７と前方外側方端縁９９はそれぞれ、前方セクション１１６Ａの後方内側方端縁９３と後方外側方端縁９５から離間している。
【００７０】
アッパーの複数の固定具部１５４Ｂは、前方セクションの内側方固定具部１５４Ｂ１と後方セクションの内側方固定具部１５４Ｂ２を含み、この両者は、後方セクション１１６Ｂが使用位置にあるときに、内側方インターフェイス８４（図５を参照）の境界を画定している一方で、前方セクションの外側方固定具部１５４Ｂ３と後方セクションの外側方固定具部１５４Ｂ４をさらに含み、この両者は、後方セクション１１６Ｂが使用位置にあるときに、外側方インターフェイス８６（図６を参照）の境界を画定している。後方セクション１１６Ｂが使用位置にあるときに、ストラップ４０は、内側方インターフェイス８４と外側方インターフェイス８６を越える一方で、ストラップ４０の複数の固定具部５４Ａ（図９に最もよく示されている）は、前方セクションの内側方固定具部１５４Ｂ１、後方セクションの内側方固定具部１５４Ｂ２、前方セクションの外側方固定具部１５４Ｂ３、及び後方セクションの外側方固定具部１５４Ｂ４に固定されている。追加的な複数の固定具部１５４Ｂ５，１５４Ｂ６が前方セクション１１６Ａ上でさらに前方にあり、固定具部５４Ａはこれらにも固定する。
【００７１】
後方セクション１１６Ｂが使用位置にあるときにストラップ４０を介して前方セクション１１６Ａに機械的に結合されていることに加え、後方セクション１１６Ｂは、使用位置にあるときに、前方セクション１１６Ａに磁気的にも結合されている。詳しくは、履物１１０は、前方セクション１１６Ａの内側方４４の内側方端縁９３付近において前方セクション１１６Ａ内に固定された前方内側方の一式の磁気エレメント９０Ａ（図１０を参照）と、後方セクション１１６Ｂの内側方の前方内側端縁９７付近において後方セクション１１６Ｂ内に固定された後方内側方の一式の磁気エレメント９０Ｂ（図９を参照）と、を含む。前方外側方の一式の磁気エレメント９２Ａが、後方外側方端縁９５付近の前方セクション１１６Ａの外側方４２において前方セクション１１６Ａ内に固定されている一方で（図１０を参照）、後方外側方の一式の磁気エレメント９２Ｂが、前方外側方端縁９９付近の後方セクション１１６Ｂの外側方において後方セクション１１６Ｂ内に固定されている。これらの磁気エレメントは、それぞれのセクション１１６Ａ，１１６Ｂ内に縫い付けられ或いは固定されている。各一式の磁気エレメント９０Ａ，９０Ｂ，９２Ａ，９２Ｂ内に４つの磁気エレメントが示されているが、各一式の磁気エレメントが１つだけマグネット（磁石）を有する場合もあれば、様々に異なる数のマグネットを有する場合もある。磁気エレメント９０Ａ，９２Ａ，９０Ｂ，９２Ｂは磁気エネルギを有し或いは磁気エネルギに引き寄せられる（すなわち、これらは鉄鋼材であり或いは種々の磁性材料の組合せであるため、磁気エレメント９０Ａが磁気エレメント９０Ｂに引き寄せられるととともに、磁気エレメント９２Ａが磁気エレメント９２Ｂに引き寄せられる）。
【００７２】
内側方インターフェイス８４を越えて後方内側方の一式の磁気エレメント９０Ｂに前方内側方の一式の磁気エレメント９０Ａを磁気カップリングさせるとともに、外側方インターフェイス８６を越えて後方外側方の一式の磁気エレメント９２Ｂに前方外側方の一式の磁気エレメント９２Ａを磁気カップリングさせることにより、後方セクション１１６Ｂの少なくとも一部が、使用位置において、前方セクション１１６Ａに固定される。一式の磁気エレメント９０Ａ，９０Ｂ，９２Ａ，９２Ｂは、アッパー１１６のそれぞれのセクション１１６Ａ，１１６Ｂ内に挿入されたハウジング内に配置されている場合もあれば、ハウジングなしに挿入される場合もある。後方セクション１１６Ｂが使用位置にあるときに、特には図５及び図６に示されるように、内側方と外側方のインターフェイス８４，８６の全体が履物１１０の踵領域２８内でほぼ垂直に延びているときに、一式の磁気エレメント９０Ａ，９０Ｂ，９２Ａ，９２Ｂ、及び該一式の磁気エレメント用の種々のハウジングが、内側方４４と外側方４２において踵領域２８内の足をいっそう支持するように支援する。履物１０に関して説明したように、前方セクション１１６Ａの後方の内側方と外側方の端縁９３，９５がほぼ垂直に延びていることは、足が差し入れられるときに、足２０と足受けキャビティ１８との整列がずれたときに前方セクション１１６Ａが崩れてしまうことを防ぐことに寄与し得る。一式の磁気エレメント９０Ａ，９２Ａ、及びこれらが収容される種々のハウジングは、これらの磁気エレメント９０Ａ，９２Ａが端縁９３，９５付近に配置されているので、足が差し入れられるときに端縁９３，９５を垂直方向に維持し、踵領域２８において足受けキャビティ１８を開いた状態に保つことにも寄与し得る。
【００７３】
磁気エレメントは、後方セクション１１６Ｂを使用位置まで引っ張ることを支援し且つ使用位置まで動かされた後方セクション１１６Ｂを使用者の活動中に使用位置に維持するのに充分な磁気の強さを有するのと同時に、この磁力は、履物１１０を脱ぐことが望ましいときに後方セクション１１６Ｂを後方へ引くことにより後方セクション１１６Ｂがアクセス位置まで戻されることを可能にするほど小さい磁力であるものが選択されており、いずれも過度な力を必要とすることなく、手を使って、或いは後方セクション１１６Ｂの上面に下方かつ後方へと反対側の足を使って力をかけて行われる。
【００７４】
図１３に示される代替的な実施例における履物２１０は、固定具部５４Ｃがこれの高さ方向に沿ってソール構造体１２から、内側方端縁から外側方端縁にかけての後方セクション１６Ｂの全体つまり後方セクション１６Ｂのほぼ全体に亘る後方セクション１６Ｂの外面全体に沿って上方へ延びている構成以外については、図１に示した履物１０とすべて同じ構成を有する。この構成を有することで、ストラップ４０の配置のバリエーションが増え、更に／或いは後方セクション１６Ｂにストラップ４０をいっそう固定することが可能となる。
【００７５】
同様に、図１４及び図１５に示される履物３１０は、後方セクションの内側方固定具部１５４Ｂ２と後方セクションの外側方固定具部１５４Ｂ４が、後方固定具部１５４Ｂ７と置き換えられていること以外の点は、図５に示した履物１１０とすべての態様が同様であり、この後方固定具部１５４Ｂ７は、後方セクション１１６Ｂの前方内側方端縁９７から前方外側方端縁９９まで後方セクション１１６Ｂの外面全体に沿って、及び後方セクション１１６Ｂの全体又はほぼ全体に沿うようにこれの低位端縁３０１から高位端縁３０２までこれの高さ方向に沿ってテザー１４０を覆うように延在している。
【００７６】
図１６〜図２０に示される履物４１０は、ソール構造体１２の内側方の壁４５に固定され且つ履物４１０の中足領域２６内でアッパー１６の内側方４４に沿って上方へ延びている内側方のフラップ４４３も含むこと以外は、履物２１０とすべての態様が同様である。或いは、内側方フラップ４４３は、バイトライン５０の位置でアッパー１６とソール構造体１２との間に固定され得る。なお、これらのいずれの例においても、内側方フラップ４４３は内側方の壁４５に固定されている。内側方フラップ４４３は、足受けキャビティ１８内で足の外輪郭と概ね整合するのには充分な柔軟性を有するが、本体３０と比べれば厚くて弾力性の劣るものである。このような内側方フラップ４４３を側壁４５に固定することにより、足受けキャビティ１８内の足は、横への動きで横方向の力を受けたときにも、ソール構造体１２に対して所定の位置にしっかりと保持され得る。
【００７７】
ループ状ケーブル６４は、上述したように、アッパー１６の本体３０を貫通して、孔６８から出ている。引張りケーブル５６は、上述したように、外側方４２にあるアッパー１６，３０を貫通して、孔６２から出ている。ループ状ケーブル６４と、ストラップ４０に固定されている遠位端部７１との間において、ウェブ状スペーサ４８０が引張りケーブル５６に固定されている。ウェブ状スペーサ４８０は、図２に示したウェブ状スペーサ８０よりも僅かに大きいが、いくつかの同じ機能と特徴を有する。内側方フラップ４４３は、ウェブ状スペーサ４８０の近位端部に固定されている。ウェブ状スペーサ４８０は、該ウェブ状スペーサ４８０によって複数の引張りケーブル５６のうちの隣り合うものが互いに離間されるように、複数の引張ケーブル５６のうちの隣り合うものの間に延びている。図１６及び図１７に示されるように、ストラップ４０の遠位端部５２がアッパー１６に固定されているときに、ウェブ状スペーサ４８０は、該アッパー１６の前方セクション１６Ａの外側方４２に押し付けられるように着座する。
【００７８】
ストラップ４０がアッパー１６に固定されると、内側方フラップ４４３は、アッパー１６の外面６０に押し付けられるように着座し、複数のループ状ケーブル６４のうちの少なくともいくつかを覆う。図２０において、内側方フラップ４４３は、外面６０又は本体３０に固定されていないものとして示すために、外面６０から僅かに離れているように図示されている。加えて、ストラップ４０は、構成要素を明瞭に示すために、持ち上げられて図示されている。しかし、図１６に示したようにストラップ４０が固定されているときに、内側方フラップ４４３は、外面６０に押し付けられるように着座している。内側方フラップ４４３は、もっと硬くて弾力性が小さいので、上述した通りにストラップ４０が強く引っ張られてアッパー１６に固定されると、足の内側方の特に土踏まずの位置を支持する。
【００７９】
図１６に最もよく示されているように、内側方フラップ４４３は、ソール構造体１２から後方かつ上方へ延びている第１の部分４４３Ａと、ソール構造体１２から前方かつ上方へ延びている第２の部分４４３Ｂとを有し、第２の部分４４３Ｂの少なくとも一部が、ソール構造体の位置で第１の部分４４３Ａの後方にある。
【００８０】
図２１〜２３に示される他の実施例における履物５１０は、履物１０と同じ態様で機能する同じ特徴部（ウェブ状スペーサ８０、ストラップ４０、引張りケーブル５６及びループ状ケーブル６４など）のうちの多くを備える。アッパー５１６は、前方セクション、及び関節運動する後方セクションを有するものとしてよりも、一体的に示されている。アッパー５１６の踵部分は、ストラップ４０の固定具部５４Ａ，５４Ａ１を固定する１つ又は複数の固定具部５５４を含む。図２１に示される固定具部５５４は、アッパー５１６の背面を取り囲むように外側方４２まで延びている。代替的な実施例において、履物５１０にアッパー１６が使用される場合もある。
【００８１】
ツーピースからなる内側方フラップ５５３が、履物５１０に含まれている。例えば、内側方フラップ５５３は外方の内側方フラップ５５３Ａを含み、この外方の内側方フラップ５５３Ａ内をループ状ケーブル６４が貫通している。換言すれば、ループ状ケーブル６４はアッパー５１６を貫通しているのではなく、外方の内側方フラップ５５３Ａを貫通している。その外方の内側方フラップ５５３Ａは、ソール構造体１２の内側方の壁４５に固定され、履物５１０の中足領域２６内でアッパー５１６の内側方４４に沿って上方へ延びている。或いは、内側方フラップ５５３Ａは、バイトライン５０の位置でアッパー５１６とソール構造体１２との間に固定され得る。なお、いずれの例においても、内側方フラップ５５３Ａは、内側方の壁４５に固定されている。内側方フラップ５５３は内方の内側方フラップ５５３Ｂをさらに含み、この内側方フラップ５５３Ｂは、アッパー５１６の内側方４４に固定され且つアッパー５１６と外方の内側方フラップ５５３Ａとの間に配置されている。内方の内側方フラップ５５３Ａは内側方４４の途中までしか延在しておらず、ストラップ４０が強く引かれたときの外方の内側方フラップ５５３Ａと同様に、内側方４４に対して動くことができない。
【００８２】
内方の内側方フラップ５５３Ｂと外方の内側方フラップ５５３Ｂのいずれもウェブ状スペーサ４８０の近位端部に固定されてはいない。内方の内側方フラップ５５３Ａがあることにより、引張りケーブル５６がピンと張られると、アッパー５１６の内側方４４が上方へ引かれるとともに、足受けキャビティ１８内の足に押し付けられる。外方の内側方フラップ５５３Ａと内方の内側方フラップ５５３Ｂは、アッパー５１６の本体よりも厚くて小さい弾力性を有するが、足受けキャビティ１８内にある足の外側の輪郭に概ね整合するのには充分な柔軟性を有する。
【００８３】
ループ状ケーブル６４は、内方の内側方フラップ５５３Ｂから外方の内側方フラップ５５３Ａまで延在する。図２３に最もよく示されているように、ループ状ケーブル６４は、外方の内側方フラップ５５３Ａと内方の内側方フラップ５５３Ｂの各々の内層と外層との間に配置されている場合もあれば、外方の内側方フラップ５５３Ａ及び内方の内側方フラップ５５３Ｂに統合されるように織り込まれ又は固定されたチャネルを貫通しているか、或いはチャネル内に配置されている場合もある。
【００８４】
図２１及び図２２に示されるように、履物５１０は外側方フラップ５５５をさらに含み、この外側方フラップ５５５は、ソール構造体１２の外側方４２に固定されているとともに、履物５１０の中足領域２６内でアッパー５１６の外側方４２に沿って上方へ延びている。外側方フラップ５５５は、ソール構造体１２の外側方の壁４７に固定されたものとして示されているが、バイトライン５０の位置でアッパー５１６とソール構造体１２との間に固定される場合もある。なお、いずれの実施例においても、外側方フラップ５５５は、外側方の壁４７に固定されているものとする。複数の引張りケーブル５６の各々は、外側方フラップ５５５に固定され、外側方フラップ５５５の自由端５６１から外方へ延びている。図２２に最もよく示されるように、ループ状ケーブル６４が外方の内側方フラップ５５３Ａを貫通しているのと同様に、引張りケーブル５６は、外側方フラップ５５５を貫通している。引張りケーブル５６を引き締めるようにストラップ４０を引っ張ると、外側方フラップ５５５が引っ張られてアッパー５１６に押し付けられるとともに、内方の内側方フラップ５５３Ｂが引っ張られてアッパー５１６に押し付けられる。外側方フラップ５５５は、アッパー５１６に固定されるのではなく、外側方の壁４７に固定されるが、このことを図示するために図２２において、アッパー５１６から僅かにずれた位置に図示されている。しかし、引張りケーブル５６がきつく引かれると、外側方フラップ５５５は、アッパー５１６の外面６０に押し付けられる位置に着座する。
【００８５】
図２４〜図２６は、履物１０と同じ特徴部の多くを有する履物６１０の他の例を示す。履物６１０は、ソール構造体１２に固定されたアッパー６１６を含む。アッパー６１６は、ソール構造体１２の少なくとも前足部に固定された前方セクション６１６Ａと、後方セクション６１６Ｂとを有し、該後方セクション６１６Ｂは、該後方セクション６１６Ｂの少なくとも一部が前方セクション６１６Ａの後方となる位置に、作動可能となるようにソール構造体１２に固定されているとともに、アクセス位置（図２５）から使用位置（図２４）まで変化するように関節運動する。後方セクション６１６Ｂがアクセス位置にあるときに、足受けキャビティ１８は、履物６１０の踵領域２８において露出しており、後方セクション６１６Ｂが使用位置にあるときに、後方セクション６１６Ｂの少なくとも一部が踵領域２８を取り囲んでいる。図２４に示されるように、ストラップ４０は、前方セクション６１６Ａの外側方４２から前方セクション６１６Ａの内側方４４にかけて後方セクション６１６Ｂの背面を取り囲むように構成されている。図２４に最もよく示されているように、後方セクション６１６Ｂは、使用位置にあるときに前方セクション６１６Ａの外方を覆うのに充分な寸法を有する。後方セクション６１６Ｂは、該後方セクション６１６Ｂの内面６６２（内側ともいう）の内側方と外側方に固定具部６５４Ｄを有し、これらは、該後方セクション６１６Ｂが使用位置まで動かされたときに、前方セクション６１６Ａの外面６０の内側方と外側方にある固定具部６５４Ｅに固定できるように構成されている。固定具部６５４Ｅ，６５４Ｄはその一部のみが図示されているが、履物６１０の内側方と外側方に対称的に配置されている。ストラップ４０上の固定具部５４，５４Ａは、後方セクション６１６Ｂの外面に配置された固定具部６５４Ｆに固定することができる。
【００８６】
履物６１０は、外方の内側方フラップ６５３Ａと内方の内側方フラップ６５３Ｂを含む内側方フラップ６５３を備える。外方の内側方フラップ６５３Ａは、ソール構造体１２の内側方の壁４５に固定され、履物６１０の中足領域２６内で上方へ延びている。或いは、外方の内側方フラップ６５３Ａは、バイトライン５０の位置でアッパー６１６とソール構造体１２との間に固定される場合もある。なお、いずれの実施例においても、外方の内側方フラップ６５３Ａは、内側方の壁４５に固定されているものとする。内方の内側方フラップ６５３Ｂは、アッパー６１６と外方の内側方フラップ６５３Ａとの間に配置されている。内方の内側方フラップ６５３Ｂは、ソール構造体１２の足対向面１７に該足対向面１７の内側方周辺１２Ａの内方寄りに固定されている。本明細書において、内方の内側方フラップ６５３Ｂは、足対向面１７に直接的に固定されている場合、或いは足対向面に間接的に（足対向面１７に覆い被さる他の構成要素のストローベルに固定されることなどによって）固定されている場合に、足対向面１７に固定されていると考えるものとし、足対向面１７に対して動くことができない。図示した実施例において、内方の内側方フラップ６５３Ｂは、足対向面１７の位置でミッドソール３２に縫い目６２１の位置で縫い付けられている。この縫い目６２１は、前方セクション６１６Ａを貫通している場合もある。前方セクション６１６Ａは、内側方周辺６１６Ｃと外側方周辺６１６Ｄを有するものとして示されているが、前方セクション６１６Ａは、断面が切り出されている位置においてソックスの構成を有し得る。
【００８７】
内方の内側方フラップ６５３Ｂは、内側方周辺１２Ａの位置においてよりも、内側方周辺１２Ａと外側方周辺１２Ｂとの間において足対向面１７に固定されている。換言すれば、内方の内側方フラップ６５３Ｂは、内側方周辺１２Ａの内方寄りにおいて足対向面１７に固定されている。内方の内側方フラップ６５３Ｂが足対向面１７に固定される位置は、着用者の土踏まずのつくり（つまり、アーチの高低など）に応じて算出される足の圧力に基づいてカスタマイズされ得る。或いは、カスタマイズされない実施例において、内方の内側方フラップ６５３Ｂは、平均的な着用者の土踏まずのつくりに基づいて位置決めされ得る。非限定的な実施例において、内方の内側方フラップ６５３Ｂは、内側方周辺１２Ａから外側方周辺１２Ｂへ向かうソール構造体１２の横断方向の幅Ｗ２の少なくとも３０％だけ離間した位置において、足対向面１７に固定されている。従って、内側方周辺１２Ａから縫い目６２１の位置までの距離Ｗ１は、内側方周辺１２Ａから外側方周辺１２Ｂまでの幅全体Ｗ２の少なくとも３０％である。
【００８８】
内方の内側方フラップ６５３Ｂは、縫い目６２１の位置だけで前方セクション６１６Ａに固定されている。各図において、内方の内側方フラップ６５３Ｂは、前方セクション６１６Ａに固定されているのではなく、該前方セクション６１６Ａに対して動くことができると示すために、前方セクション６１６Ａから僅かに離して図示されている。足受けキャビティ１８内に足が差し入れられている使用時において、図２４に示されるように、ストラップ４０が留められると、内方の内側方フラップ６５３Ｂは、足のアーチ（土踏まず）を持ち上げて支持するとともに、前方セクション１６Ａの外面６０に押しつけられる位置となる。
【００８９】
履物５１０と同様に、ループ状ケーブル６４は、履物６１０の内側方４４に沿って上方へ延在するとともに、フラップ６５３Ａ，６５３Ｂの自由端の位置で、内方の内側方フラップ６５３Ｂを外方の内側方フラップ６５３Ａに接続するように内方の内側方フラップ６５３Ｂから延びている。
【００９０】
履物６１０は、外側方フラップ６５５をさらに含み、この外側方フラップ６５５は、ソール構造体１２の外側方の壁４７に固定され、履物６１０の中足領域２６内でアッパーの外側方４２に沿って上方へ延びている。図２６において、外側方のフラップ６５５は、前方セクション６１６Ａに固定されているのではなく、前方セクション６１６Ａに対して動くことができると示すために、前方セクション６１６Ａから僅かに離れているように図示されている。足受けキャビティ１８内に足が差し入れられている使用時において、外側方フラップ６５５は、前方セクション１６Ａの外面６０に押し付けられるように位置している。
【００９１】
図２６に最もよく示されるように、外側方フラップ６５５は内層６５５Ｂと外層６５５Ａを有し、これらの層６５５Ａ，６５５Ｂ間に引張りケーブル５６が延びている。引張りケーブル５６が外側方フラップ６５５に固定されるように、外層６５５Ａと内層６５５Ｂは互いに固定されている。例えば、外層６５５Ａと内層６５５Ｂは互いに接着され或いは縫い付けられている。従って、外層６５５Ａと内層６５５Ｂとの間に挟まれている引張りケーブル５６の部分は、フラップ６５５に対して動かない。よって、引張りケーブル５６を引き締めるようにストラップ４０を引っ張ると、外側方フラップ６５５が引かれて前方セクション６１６Ａに押し付けられるとともに、内側方フラップ６５３Ｂが引かれて前方セクション６１６Ａに押し付けられる。図２６において明瞭に示すために、ストラップ４０は、前方セクション６１６Ａから持ち上げられて示されている。履物６１０は、アッパー６１６とストラップ４０との間において引張りケーブル５６に固定され該引張りケーブル５６を覆うようなウェブ状スペーサを含まないが、他の実施例において、ウェブ状スペーサを含む場合もある。
【００９２】
図２５に示されるように、外層６５５Ａは開口６５７（この開口６５７のことを窓ともいう）を有する。図２４〜図２５に最もよく示されるように、複数の引張りケーブル５６のうちの少なくとも１つが、開口６５７の位置で露出するように、該開口６５７を横切っている。複数の引張りケーブル５６の各々が、外側方フラップ６５５の自由端６６１から延在し得る。外方の内側方フラップ６５３Ａは窓６５８をさらに有する。しかし、ループ状ケーブル６４が窓６５８を横切るように延びていることは図示されておらず、図２６に示されるように、窓よりも高い位置で終端し得る。
【００９３】
複数の引張りケーブル５６は、該複数の引張りケーブル５６の近位端部５８とストラップ４０との間において複数のループ状ケーブル６４を貫通している。図２６に最もよく示されるように、ストラップ４０の近位端部７２は、複数の引張りケーブル５６の遠位端部７１に接続されている。図２４に示されるように、ストラップ４０の遠位端部５２は、後方セクション６１６Ｂに取外し可能に固定され得るものであり、この後方セクション６１６Ｂが今度は、前方セクション６１６Ａに取外し可能に固定され得るものである。詳しくは、第１の固定具部５４Ａが、後方セクション６１６Ｂに設けられた固定具部６５４Ｆに固定されている。なお、固定具部６５４Ｆのことを第２の固定具部ともいう。
【００９４】
履物用のソール構造体の構成例について、以下に箇条書きの項目として提示する。
【００９５】
項目１：ソール構造体と、上記ソール構造体に固定されたアッパーと、上記アッパー及び上記ソール構造体のうちの少なくとも一方に固定された近位端部を有する複数の引張りケーブルであって、上記アッパーから外方へ延びている複数の引張りケーブルと、上記複数の引張りケーブルにおける引張りケーブルの遠位端部に接続された近位端部、及び上記引張りケーブルを引き締めるように上記アッパーに取外し可能に固定され得る遠位端部を有するストラップと、上記複数の引張りケーブルに固定されたウェブ状スペーサであって、該ウェブ状スペーサによって上記複数の引張りケーブルのうちの隣り合うものが互いに離間して配置されるように、上記複数の引張りケーブルのうちの隣り合うものの間に延びているウェブ状スペーサと、を備える、履物。
【００９６】
項目２：上記ウェブ状スペーサは柔軟なポリマ材料からなることを特徴とする、項目１に記載の履物。
【００９７】
項目３：上記複数の引張りケーブルのうちの隣り合うものの間の隙間が、上記ウェブ状スペーサに沿って上記ストラップに近いところほど狭くなっていることを特徴とする、項目１又は項目２に記載の履物。
【００９８】
項目４：上記ストラップの遠位端部が上記アッパーに固定されているときに、上記ウェブ状スペーサは、上記アッパーの第１の側方で上記アッパーの外面に押し付けられるように配置されていることを特徴とする、項目１〜３のいずれかに記載の履物。
【００９９】
項目５：上記アッパー及び上記ソール構造体のうちの少なくとも一方に固定され、上記アッパーから外方へ延びている複数のループ状ケーブルをさらに備え、上記複数の引張りケーブルは、該引張りケーブルの近位端部と上記ウェブ状スペーサとの間において上記複数のループ状ケーブルを貫通していることを特徴とする、項目１〜４のいずれかに記載の履物。
【０１００】
項目６：上記複数の引張りケーブルが該複数の引張りケーブルの近位端部から上記アッパーの第１の側方に沿って上方へ延在する一方で、上記複数のループ状ケーブルは上記アッパーの第２の側方で上方へ延在し、上記ウェブ状スペーサは、上記ストラップの遠位端部が上記アッパーに固定されているときに上記アッパーの第１の側方に押し付けられるように着座しており、上記複数の引張りケーブルは、上記複数のループ状ケーブルの位置で向きを変えていることを特徴とする、項目５に記載の履物。
【０１０１】
項目７：上記アッパーは、足受けキャビティを画定している前方セクション及び後方セクションを含み、上記前方セクションは、上記ソール構造体の前足領域に固定されており、上記後方セクションは、該後方セクションの少なくとも一部が上記前方セクションよりも後方となる位置に、作動可能となるように上記ソール構造体に固定されているとともに、アクセス位置と使用位置との間で変化するように関節運動し、上記後方セクションが上記アクセス位置にあるときに上記足受けキャビティは該履物の踵領域で露出している一方で、上記後方セクションが上記使用位置にあるときに上記後方セクションの一部が上記踵領域を取り囲んでおり、上記後方セクションが上記使用位置にあるときに、上記ストラップは、上記前方セクションの第１の側方から上記前方セクションの第２の側方にかけて上記後方セクションの背面を覆い、上記前方セクションの第２の側方に固定できるように構成されていることを特徴とする、項目１〜６のいずれかに記載の履物。
【０１０２】
項目８：上記ストラップの遠位端部の位置で上記ストラップに固定された第１の固定具部と、上記アッパーの前方セクションの第２の側方に固定された第２の固定具部と、  をさらに備え、第１の固定具部は、第２の固定具部に固定できるように構成されていることを特徴とする、項目７に記載の履物。
【０１０３】
項目９：上記ストラップは、上記ストラップの内側に沿って互いに離間して配置された複数の固定具部を有し、上記アッパーは、後方セクション、上記前方セクションの第１の側方及び第２の側方に固定された複数の固定具部を有し、上記ストラップの固定具部は、上記アッパーの固定具部に固定できるように構成されていることを特徴とする、項目７に記載の履物。
【０１０４】
項目１０：上記前方セクションの第１の側方が上記前方セクションの外側方である一方で、上記前方セクションの第２の側方が上記前方セクションの内側方であり、上記前方セクションの後方内側方端縁が内側方インターフェイスの位置で上記後方セクションと接続する一方で、上記前方セクションの後方外側方端縁が外側方インターフェイスの位置で上記後方セクションと接続し、上記アッパーの複数の固定具部は、前方セクションの内側方固定具部と後方セクションの内側方固定具部を含み、この両者は上記内側方インターフェイスの境界を画定しており、上記アッパーの複数の固定具部は、前方セクションの外側方固定具部と後方セクションの外側方固定具部をさらに含み、この両者は上記外側方インターフェイスの境界を画定しており、上記後方セクションが上記使用位置にあるときに、上記ストラップは、上記内側方インターフェイスと上記外側方インターフェイスを越えることができ、上記ストラップの上記複数の固定具部は、前方セクションの内側方固定具部、後方セクションの内側方固定具部、前方セクションの外側方固定具部、及び後方セクションの外側方固定具部に固定されていることを特徴とする、項目９に記載の履物。
【０１０５】
項目１１：上記前方セクションの内側方に固定された少なくとも１つの前方内側方磁気エレメント、及び上記後方セクションの内側方に固定された少なくとも１つの後方内側方磁気エレメントを含む内側方の一式の磁気エレメントと、上記前方セクションの外側方に固定された少なくとも１つの前方外側方磁気エレメント、及び上記後方セクションの外側方に固定された少なくとも１つの後方外側方磁気エレメントを含む外側方の一式の磁気エレメントと、をさらに備え、上記内側方インターフェイスを越えて上記少なくとも１つの後方内側方磁気エレメントに上記少なくとも１つの前方内側方磁気エレメントが磁気カップリングすることにより、さらには、上記外側方インターフェイスを越えて上記少なくとも１つの後方外側方磁気エレメントに上記少なくとも１つの前方外側方磁気エレメントがカップリングすることにより、上記使用位置において、上記後方セクションの少なくとも一部が上記前方セクションに固定されることを特徴とする、項目１０に記載の履物。
【０１０６】
項目１２：上記後方セクションは、後方へ折れ曲がることにより上記使用位置から上記アクセス位置まで関節運動し、上記後方セクションの前方内側方端縁は、該後方セクションがアクセス位置にあるときよりも使用位置にあるときにおいて上記前方セクションの後方内側方端縁に近くなり、上記後方セクションの前方外側方端縁は、該後方セクションがアクセス位置にあるときよりも使用位置にあるときにおいて上記前方セクションの後方外側方端縁に近くなることを特徴とする、項目７に記載の履物。
【０１０７】
項目１３：上記前方セクションの後方内側方端縁及び後方外側方端縁の全体が、該履物の踵部分においてほぼ垂直に延在することを特徴とする、項目７に記載の履物。
【０１０８】
項目１４：ソール構造体と、前方セクション及び後方セクションを含むアッパーであって、上記前方セクションは、上記ソール構造体の前足領域に固定され、上記ソール構造体の上方に足受けキャビティを画定し、上記後方セクションは、該後方セクションの少なくとも一部が上記前方セクションよりも後方となる位置に、作動可能となるように上記ソール構造体に固定されているとともに、アクセス位置と使用位置との間で変化するように関節運動し、上記後方セクションが上記アクセス位置にあるときに、上記足受けキャビティは該履物の踵領域で露出する一方で、上記後方セクションが上記使用位置にあるときに、上記後方セクションは上記踵領域の一部を取り囲む、アッパーと、複数の引張りケーブルであって、上記アッパーの前方セクション及び上記ソール構造体のうちの少なくとも一方に固定された近位端部から上記前方セクションに沿って上方へ延びている、複数の引張りケーブルと、上記複数の引張りケーブルにおける引張りケーブルの遠位端部に接続された近位端部を有するストラップであって、該ストラップは、上記アッパーの第１の側方から第２の側方にかけて上記後方セクションの周りを覆うように構成されている、ストラップと、上記アッパーの第２の側方に上記ストラップの遠位端部を固定するように構成された固定具と、上記ストラップの近位端部に隣接し、上記複数の引張りケーブルに固定されたウェブ状スペーサであって、該ウェブ状スペーサによって上記複数の引張りケーブルのうちの隣り合うものが互いに離間されるように、上記複数の引張りケーブルのうちの隣り合うものの間に延びているウェブ状スペーサと、を備える、履物。
【０１０９】
項目１５：上記アッパー及び上記ソール構造体のうちの少なくとも一方に固定され、上記アッパーの前方セクションから外方へ延びているループ状ケーブルをさらに備え、上記複数の引張りケーブルは、上記複数の引張りケーブルの近位端部と上記ウェブ状スペーサとの間において上記複数のループ状ケーブルを貫通しており、上記複数の引張りケーブルは、該複数の引張りケーブルの近位端部から上記アッパーの第１の側方に沿って上方へ延在する一方で、上記複数のループ状ケーブルは、上記アッパーの際２の側から外方へ延在し、上記ストラップが上記アッパーに固定されているときに、上記ウェブ状スペーサは上記アッパーの第１の側方に押し付けられるように着座し、上記複数の引張りケーブルは、上記複数のループ状ケーブルの位置で向きを変えていることを特徴とする、項目１４に記載の履物。
【０１１０】
項目１６：上記ストラップは、上記ストラップの内側に沿って離間して配置された複数の固定具部を有し、上記アッパーは、上記前方セクションの第１の側方と第２の側方に固定された複数の固定具部を有し、上記ストラップの固定具部は、上記アッパーの固定具部に固定できるように構成されていることを特徴とする、項目１４又は項目１５に記載の履物。
【０１１１】
項目１７：上記前方セクションの第１の側方が上記前方セクションの外側方である一方で、上記前方セクションの第２の側方が上記前方セクションの内側方であり、上記前方セクションの後方内側方端縁が内側方インターフェイスの位置で上記後方セクションと接続する一方で、上記前方セクションの後方外側方端縁が外側方インターフェイスの位置で上記後方セクションと接続し、上記アッパーの複数の固定具部は、前方セクションの内側方固定具部及び後方セクションの内側方固定具部を含み、この両者が上記内側方インターフェイスの境界を画定しており、上記アッパーの複数の固定具部は、前方セクションの外側方固定具部及び後方セクションの外側方固定具部をさらに含み、この両者が上記外側方インターフェイスの境界を画定しており、上記後方セクションが上記使用位置にあるときに上記ストラップは、上記内側方インターフェイスと上記外側方インターフェイスとを越えることができ、上記ストラップの複数の固定具部は、上記前方セクションの内側方固定具部、上記後方セクションの内側方固定具、上記前方セクションの外側方固定具部、及び上記後方セクションの外側方固定具部に固定されることを特徴とする項目１６に記載の履物。
【０１１２】
項目１８：上記前方セクションの内側方に固定された少なくとも１つの前方内側方磁気エレメント、及び上記後方セクションの内側方に固定された少なくとも１つの後方内側方磁気エレメントからなる内側方の一式の磁気エレメントと、上記前方セクションの外側方に固定された少なくとも１つの前方外側方磁気エレメント、及び上記後方セクションの外側方に固定された少なくとも１つの後方外側方磁気エレメントからなる外側方の一式の磁気エレメントと、をさらに備え、上記内側方インターフェイスを越えて上記少なくとも１つの後方内側方磁気エレメントに上記少なくとも１つの前方内側方磁気エレメントを磁気カップリングさせることにより、さらには、上記外側方インターフェイスを越えて上記少なくとも１つの後方外側方磁気エレメントに上記少なくとも１つの前方外側方磁気エレメントをカップリングさせることにより、上記使用位置において、上記後方セクションの少なくとも一部が上記前方セクションに固定されることを特徴とする、項目１７に記載の履物。
【０１１３】
項目１９：上記後方セクションは、後方へ折れ曲がることにより上記使用位置から上記アクセス位置まで関節運動し、上記後方セクションの前方内側方端縁は、該後方セクションがアクセス位置にあるときよりも使用位置にあるときにおいて上記前方セクションの後方内側方端縁に近くなり、上記後方セクションの前側外側方端縁は、該後方セクションがアクセス位置にあるときよりも使用位置にあるときにおいて上記前方セクションの後方外側方端縁に近くなることを特徴とする、項目１４又は項目１５に記載の履物。
【０１１４】
項目２０：上記前方セクションの後方内側方端縁及び後方外側方端縁の全体が、該履物の踵部分に延在することを特徴とする、項目１４〜１９のいずれかに記載の履物。
【０１１５】
項目２１：ソール構造体と、上記ソール構造体に固定されたアッパーと、上記ソール構造体の内側方の壁に固定され、該履物の中足領域内で上方へ延びている内側方フラップと、上記アッパーの外側方に沿って上方へ延びている複数の引張りケーブルと、上記アッパー及び上記内側方フラップのうちの少なくとも一方に固定された複数のループ状ケーブルと、上記複数の引張りケーブルの遠位端部に接続された近位端部、及び上記引張りケーブルを締め付けるように上記アッパーに取外し可能に固定され得る遠位端部を有するストラップと、を備え、上記複数の引張りケーブルは、上記複数の引張りケーブルの近位端部と上記ストラップとの間において上記複数のループ状ケーブルを貫通していることを特徴とする、履物。
【０１１６】
項目２２：上記複数の引張りケーブルに固定されたウェブ状スペーサであって、該ウェブ状スペーサによって上記複数の引張りケーブルのうちの隣り合うものが互いに離間されるように、上記複数の引張りケーブルのうちの隣り合うものの間に延びているウェブ状スペーサをさらに備え、上記内側方フラップは、上記ウェブ状スペーサの近位端部に固定されていることを特徴とする、項目２１に記載の履物。
【０１１７】
項目２３：上記内側方フラップは、上記アッパーの外面に押し付けられるように位置し、上記ストラップが上記アッパーに固定されているときに上記複数のループ状ケーブルのうちの少なくともいくつかを覆うことを特徴とする、項目２１〜２２のいずれかに記載の履物。
【０１１８】
項目２４：上記複数の引張りケーブル及び上記複数のループ状ケーブルの両方が上記アッパーを貫通していることを特徴とする、項目２１〜２３のいずれかに記載の履物。
【０１１９】
項目２５：上記内側方フラップは外方の内側方フラップであり、該履物は、上記アッパーの内側方に固定され、上記アッパーと上記外方の内側方フラップとの間に配置された内方の内側方フラップをさらに備え、上記複数のループ状ケーブルは、上記内方の内側方フラップから上記外方の内側方フラップまで延在していることを特徴とする、項目２１に記載の履物。
【０１２０】
項目２６：上記ソール構造体の外側方に固定され、該履物の中足領域内で上記アッパーの外側方に沿って上方へ延びている外側方フラップをさらに備え、上記複数の引張りケーブルの各々が上記外側方フラップに固定され、上記外側方フラップの自由端縁から延在していることを特徴とする、項目２１に記載の履物。
【０１２１】
項目２７：上記外側方フラップは、内層及び外層を有し、上記外層は開口を有し、上記複数の引張りケーブルのうちの少なくとも１つが上記開口を横切るように延在し、上記開口の位置で露出していることを特徴とする、項目２６に記載の履物。
【０１２２】
項目２８：上記内側方フラップが外方の内側方フラップであり、該履物は、上記アッパーと上記外方の内側方フラップとの間に配置された内方の内側方フラップであって、足対向面の内側方周辺の内方において上記ソール構造体の足対向面に固定されている、内方の内側方フラップをさらに備え、上記複数のループ状ケーブルは、上記内方の内側方フラップから上記外方の内側方フラップまで延在することを特徴とする、項目２１に記載の履物。
【０１２３】
項目２９：上記内側方フラップは、上記ソール構造体から後方かつ上方へ延在する第１の部分、及び上記ソール構造体から前方かつ上方へ延在する第２の部分を有するように構成されており、第２の部分の少なくとも一部が上記ソール構造体の位置で第１の部分よりも後方にあることを特徴とする、項目２１に記載の履物。
【０１２４】
項目３０：上記ループ状ケーブルと上記ストラップとの間において上記複数の引張りケーブルに固定されたウェブ状スペーサであって、該ウェブ状スペーサによって上記複数の引張りケーブルのうちの隣り合うものが互いに離間されるように、上記複数の引張りケーブルのうちの隣り合うものの間に延びているウェブ状スペーサをさらに備える、項目２１に記載の履物。
【０１２５】
項目３１：上記ウェブ状スペーサは、上記ストラップの遠位端部が上記アッパーに固定されると上記アッパーの外側方に押し付けられるように着座し、上記複数の引張りケーブルは、上記複数のループ状ケーブルの位置で向きを変えていることを特徴とする、項目３０に記載の履物。
【０１２６】
項目３２：上記ストラップの遠位端部に固定された第１の固定具部と、上記アッパーに固定された第２の固定具部と、をさらに備え、第１の固定具部は、第２の固定具部に固定できるように構成されていることを特徴とする、項目２１〜３１のいずれかに記載の履物。
【０１２７】
項目３３：上記アッパーは、足受けキャビティを形成する前方セクション及び後方セクションを含み、上記前方セクションは上記ソール構造体の前足領域に固定されており、上記後方セクションは、該後方セクションの少なくとも一部が上記前方セクションよりも後方となる位置に、作動可能となるように上記ソール構造体に固定されているとともに、アクセス位置と使用位置との間で変化するように関節運動し、上記後方セクションが上記アクセス位置にあるときに上記足受けキャビティは該履物の踵領域で露出している一方で、上記後方セクションが上記使用位置にあるときに上記後方セクションの一部が上記踵領域の一部を取り囲んでおり、上記後方セクションが上記使用位置にあるときに、上記ストラップは、上記前方セクションの外側方から上記前方セクションの内側方にかけて上記後方セクションの背面を覆い、上記アッパーの内側方に固定できるように構成されていることを特徴とする、項目２１〜３２のいずれかに記載の履物。
【０１２８】
項目３４：上記ストラップは、上記ストラップの内側に沿って離間された複数の固定具部を有し、上記アッパーは、後方セクション、上記前方セクションの外側方、及び上記前方セクションの内側方に固定された複数の固定具部を有し、上記ストラップの上記固定具部は、上記アッパーの固定具部に固定できるように構成されていることを特徴とする、項目３３に記載の履物。
【０１２９】
項目３５：上記アッパーの後方セクションは、該後方セクションの内側に固定具部を有し、上記後方セクションが上記使用位置にあるときに、上記後方セクションの内側にある固定具部は、上記前方セクションの外面上にある上記固定具部に固定できることを特徴とする、項目３４に記載の履物。
【０１３０】
本発明の様々な実施例について説明したが、この説明は例示することを意図しており、限定することを意図するものではない。当業者であれば、本発明の実施例の範囲内において、さらに多くの実施例及び実施形態が可能であることを理解されよう。様々な実施例における種々の特徴部が組み合わされて使用される場合もあれば、他の特徴部ないしエレメントと交換される場合もある。従って、本発明の実施例は、添付の特許請求の範囲及びこれの均等物に照らすこと以外によって限定されない。また、添付の特許請求の範囲を逸脱することなく、様々な修正や変更がなされ得る。
【０１３１】
本教示の多くの態様を実施するための様々な方法について詳細に説明したが、本教示の属する技術分野の知識を有する者であれば、添付の特許請求の範囲内において本教示を実行するために様々な代替的態様があることを理解されよう。上記の説明に含まれる事項及び添付の図面に示される事項のすべてが例示するためのものであると理解されるべきであり、当業者には理解され得る代替的な実施例の範囲全体の例が、発明の内容と構造的及び／又は機能的に同等物であるか、そうではなくても発明の内容に基づいて自明であるので、明確に記載されていることだけや説明された実施例だけに限定されるものではない。
【図１】
2021520918.tif 000003
【図２】
2021520918.tif 000004
【図３】
2021520918.tif 000005
【図４】
2021520918.tif 000006
【図５】
2021520918.tif 000007
【図６】
2021520918.tif 000008
【図７】
2021520918.tif 000009
【図８】
2021520918.tif 000010
【図９】
2021520918.tif 000011
【図１０】
2021520918.tif 000012
【図１１】
2021520918.tif 000013
【図１２】
2021520918.tif 000014
【図１３】
2021520918.tif 000015
【図１４】
2021520918.tif 000016
【図１５】
2021520918.tif 000017
【図１６】
2021520918.tif 000018
【図１７】
2021520918.tif 000019
【図１８】
2021520918.tif 000020
【図１９】
2021520918.tif 000021
【図２０】
2021520918.tif 000022
【図２１】
2021520918.tif 000023
【図２２】
2021520918.tif 000024
【図２３】
2021520918.tif 000025
【図２４】
2021520918.tif 000026
【図２５】
2021520918.tif 000027
【図２６】
2021520918.tif 000028
【国際調査報告】
2021520918.tif 000029
2021520918.tif 000030
2021520918.tif 000031
2021520918.tif 000032